(57)【要約】  本開示の実施例は、オーディオカバー表示方法および装置に関し、電子技術応用分野に属する。前記方法は、端末から送信された、ターゲットカバー画像を要求するための取得要求を受信することと、前記取得要求に応じて前記ターゲットカバー画像を取得し、前記ターゲットカバー画像がオーディオに対応する動的カバー画像及び静的カバー画像のうちの少なくとも一つを含むことと、前記ターゲットカバー画像を前記端末に送信し、前記端末が前記ターゲットカバー画像を表示するように構成されることとを含む。本開示の実施例は、オーディオカバー表示形態が単一である問題を解決する。【選択図】図２
2017532582.tif 000002
【特許請求の範囲】
【請求項１】
オーディオカバー表示方法であって、
端末から送信された、ターゲットカバー画像を要求するための取得要求を受信することと、
前記取得要求に応じて前記ターゲットカバー画像を取得し、前記ターゲットカバー画像がオーディオに対応する動的カバー画像及び静的カバー画像のうちの少なくとも一つを含むことと、
前記ターゲットカバー画像を前記端末に送信し、前記端末が前記ターゲットカバー画像を表示するように構成されることとを含む、
前記オーディオカバー表示方法。
【請求項２】
前記取得要求に応じて前記ターゲットカバー画像を取得することは、
前記取得要求に応じてターゲットオーディオデータを確定し、
前記ターゲットオーディオデータに基づいてターゲットシーン情報とターゲット静的画像を確定し、前記ターゲットシーン情報が前記ターゲットオーディオデータに関連付けられたシーン特徴を表現することに用いられ、
前記ターゲットシーン情報に関連付けられた補助動的画像を取得し、
前記補助動的画像を使用して前記ターゲット静的画像を処理して前記ターゲットカバー画像を取得することを含む
請求項１に記載の方法。
【請求項３】
前記取得要求は、ターゲットシーン情報を含み、前記ターゲットシーン情報が前記端末の存在する環境のシーン特徴を表現することに用いられ、
前記取得要求に応じて前記ターゲットカバー画像を取得することは、
前記取得要求に応じてターゲット静的画像を取得し、
前記ターゲットシーン情報に関連付けられた補助動的画像を取得し、
前記補助動的画像を使用して前記ターゲット静的画像を処理して前記ターゲットカバー画像を取得することを含む
請求項１に記載の方法。
【請求項４】
前記ターゲットシーン情報に関連付けられた補助動的画像を取得することは、
予め設定されたシーン情報と動的画像の関係を検索し、
前記予め設定されたシーン情報と動的画像の関係に一つの前記ターゲットシーン情報に関連付けられた動的画像が存在する場合、前記ターゲットシーン情報に関連付けられた動的画像を前記補助動的画像とし、
前記予め設定されたシーン情報と動的画像の関係に少なくとも２つの前記ターゲットシーン情報に関連付けられた動的画像が存在する場合、予め設定されたルールに従って前記少なくとも２つの前記ターゲットシーン情報に関連付けられた動的画像から動的画像を前記補助動的画像として選択することを含む
請求項２または３に記載の方法。
【請求項５】
前記予め設定されたルールに従って前記少なくとも２つの前記ターゲットシーン情報に関連付けられた動的画像から動的画像を前記補助動的画像として選択することは、
前記少なくとも２つの前記ターゲットシーン情報に関連付けられた動的画像から１つの動的画像を前記補助動的画像としてランダムに選択すること、
または、前記少なくとも２つの前記ターゲットシーン情報に関連付けられた動的画像から１つの出現回数の最も多い動的画像を前記補助動的画像として選択すること、
または、前記少なくとも２つの前記ターゲットシーン情報に関連付けられた動的画像を重ね合わせて前記補助動的画像を形成すること、
または、端末へ前記少なくとも２つの前記ターゲットシーン情報に関連付けられた動的画像を提供し、端末から送信された選択命令を受信し、前記選択命令が、ユーザが前記少なくとも２つの前記ターゲットシーン情報に関連付けられた動的画像から選択した動的画像を指示することに用いられ、ユーザより選択された動的画像を前記補助動的画像とすることを含む
請求項４に記載の方法。
【請求項６】
前記ターゲットシーン情報は、季節、地理的位置、地標、天気、気分と時間のうちの少なくとも一つを含む
請求項２または３に記載の方法。
【請求項７】
前記補助動的画像を使用して前記ターゲット静的画像を処理して前記ターゲットカバー画像を取得することは、
前記補助動的画像を前記ターゲット静的画像に重ね合わせて前記ターゲットカバー画像を取得すること、
または、前記補助動的画像で前記ターゲット静的画像を入れ替えて前記ターゲットカバー画像を取得すること、
または、前記補助動的画像を前記ターゲット静的画像と組み合わせて前記ターゲットカバー画像を取得することを含む
請求項２または３に記載の方法。
【請求項８】
前記方法は、
サーバに前記ターゲットシーン情報に関連付けられた補助動的画像が記憶されているかどうかを判定することと、
前記サーバに前記補助動的画像が記憶されない場合、前記取得要求に応じて取得されたターゲット静的画像を前記ターゲットカバー画像とすることとをさらに含む
請求項２または３に記載の方法。
【請求項９】
前記取得要求に応じて前記ターゲットカバー画像を取得することは、
前記取得要求に応じてターゲットオーディオデータを確定し、
予め設定された動的カバーデータベースに取得された前記ターゲットオーディオデータに対応する動的画像をターゲットカバー画像とし、前記動的カバーデータベースがオーディオ情報を記録することに用いられ、各前記オーディオ情報がオーディオデータと動的画像を含むことを含む
請求項１に記載の方法。
【請求項１０】
前記方法は、
前記動的カバーデータベースに前記ターゲットオーディオデータに対応する動的画像が記憶されているかどうかを判定することと、
前記動的カバーデータベースに前記ターゲットオーディオデータに対応する動的画像が記憶されない場合、前記取得要求に応じて取得されたターゲット静的画像を前記ターゲットカバー画像とすることとをさらに含む
請求項９に記載の方法。
【請求項１１】
前記方法は、
新規なオーディオ情報を受信し、前記新規なオーディオ情報がオーディオデータと静的画像を含むことと、
前記オーディオデータに基づいてシーン情報を確定し、前記シーン情報が前記オーディオデータに関連付けられたシーン特徴を表現することに用いられることと、
前記シーン情報に関連付けられた補助動的画像を確定することと、
前記補助動的画像を使用して前記静的画像を処理して動的画像を取得することと、
前記動的画像を使用して前記新規なオーディオ情報を更新して更新されたオーディオ情報を取得し、前記更新されたオーディオ情報が前記オーディオデータと前記動的画像を含むことと、
更新されたオーディオ情報を予め設定された動的カバーデータベースに記憶し、前記予め設定された動的カバーデータベースに記録されたオーディオ情報に前記動的画像が含まれることとをさらに含む
請求項９または１０に記載の方法。
【請求項１２】
前記方法は、
新規なオーディオ情報を受信し、前記新規なオーディオ情報が動的画像を含むことと、
前記新規なオーディオ情報を予め設定された動的カバーデータベースに記憶し、前記予め設定された動的カバーデータベースに記録されたオーディオ情報に前記動的画像が含まれることとをさらに含む
請求項９または１０に記載の方法。
【請求項１３】
前記ターゲットカバー画像が前記補助動的画像を前記ターゲット静的画像に重ね合わせて取得されたものであり、前記方法は、
表示パラメータを前記端末に送信し、前記端末が前記表示パラメータに基づいて前記補助動的画像の表示される時の特性を設定するように構成され、前記表示パラメータが透明度、解像度、画像位置のうちの少なくとも一つを含むこととをさらに含む
請求項７に記載の方法。
【請求項１４】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられる
請求項１に記載の方法。
【請求項１５】
オーディオカバー表示方法であって、
オーディオカバーを取得する必要がある場合、サーバへターゲットカバー画像を要求するための取得要求を送信し、前記サーバが前記取得要求に応じて前記ターゲットカバー画像を取得するように構成され、前記ターゲットカバー画像がオーディオに対応する動的カバー画像及び静的カバー画像のうちの少なくとも一つを含むことと、
前記サーバから送信された前記ターゲットカバー画像を受信することと、
オーディオカバーを表示する必要がある場合、予め取得された前記ターゲットカバー画像を表示することとを含む、
前記オーディオカバー表示方法。
【請求項１６】
前記予め取得された前記ターゲットカバー画像を表示することは、
端末のカバー表示インターフェイスの画像表示領域に予め取得された前記ターゲットカバー画像を表示することを含む
請求項１５に記載の方法。
【請求項１７】
前記方法は、
前記サーバによって提供された少なくとも２つのターゲットシーン情報に関連付けられた動的画像を受信し、前記ターゲットシーン情報がターゲットオーディオデータに関連付けられたシーン特徴を表現することに用いられ、または、前記ターゲットシーン情報が端末の存在する環境のシーン特徴を表現することに用いられることと、
ユーザが前記少なくとも２つの前記ターゲットシーン情報に関連付けられた動的画像から選択した動的画像を受信することと、
前記サーバへ選択命令を送信し、前記選択命令がユーザより選択された動的画像を含み、前記サーバが前記ユーザより選択された動的画像を補助動的画像とするように構成されることとをさらに含む
請求項１５または１６に記載の方法。
【請求項１８】
前記ターゲットカバー画像が補助動的画像をターゲット静的画像に重ね合わせて取得されたものであり、前記方法は、
サーバから送信された表示パラメータを受信することと、
前記表示パラメータに基づいて前記補助動的画像の表示される時の特性を設定し、前記表示パラメータが透明度、解像度、画像位置のうちの少なくとも一つを含むこととをさらに含む
請求項１５または１６に記載の方法。
【請求項１９】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、
前記予め取得された前記ターゲットカバー画像を表示することは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更することを含む
請求項１５または１６に記載の方法。
【請求項２０】
前記取得要求は、ターゲットシーン情報を含み、前記ターゲットシーン情報が端末の存在する環境のシーン特徴を表現することに用いられ、
前記方法は、
前記端末にインストールされた、前記ターゲットシーン情報に関連付けられたアプリケーションにより前記ターゲットシーン情報を確定すること、
または、シーン情報提示オプションを表示し、ユーザが前記シーン情報提示オプションから選択したターゲットシーン情報を受信すること、
または、シーン情報入力ボックスを表示し、ユーザが前記シーン情報入力ボックスに入力したターゲットシーン情報を受信すること、
または、前記ターゲットシーン情報を確定する機能を備える機能サーバへ情報取得要求を送信し、前記機能サーバから送信されたターゲットシーン情報を受信することをさらに含む
請求項１５に記載の方法。
【請求項２１】
前記ターゲットシーン情報は、季節、地理的位置、地標、天気、気分と時間のうちの少なくとも一つを含む
請求項２２に記載の方法。
【請求項２２】
オーディオカバー表示装置であって、
端末から送信された、ターゲットカバー画像を要求するための取得要求を受信するように構成される受信モジュールと、
前記取得要求に応じて前記ターゲットカバー画像を取得するように構成され、前記ターゲットカバー画像がオーディオに対応する動的カバー画像及び静的カバー画像のうちの少なくとも一つを含む取得モジュールと、
前記ターゲットカバー画像を前記端末に送信するように構成され、前記端末が前記ターゲットカバー画像を表示するように構成される送信モジュールとを含む、
前記オーディオカバー表示装置。
【請求項２３】
前記取得モジュールは、
前記取得要求に応じてターゲットオーディオデータを確定するように構成されるデータ取得サブモジュールと、
前記ターゲットオーディオデータに基づいてターゲットシーン情報とターゲット静的画像を確定するように構成され、前記ターゲットシーン情報が前記ターゲットオーディオデータに関連付けられたシーン特徴を表現することに用いられる確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む
請求項２２に記載の装置。
【請求項２４】
前記取得要求は、ターゲットシーン情報を含み、前記ターゲットシーン情報が前記端末の存在する環境のシーン特徴を表現することに用いられ、
前記取得モジュールは、
前記取得要求に応じてターゲット静的画像を取得するように構成される確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む
請求項２２に記載の装置。
【請求項２５】
前記画像取得サブモジュールは、
予め設定されたシーン情報と動的画像の関係を検索するように構成される検索サブモジュールと、
前記予め設定されたシーン情報と動的画像の関係に一つの前記ターゲットシーン情報に関連付けられた動的画像が存在する場合、前記ターゲットシーン情報に関連付けられた動的画像を前記補助動的画像とするように構成される確定サブモジュールと、
前記予め設定されたシーン情報と動的画像の関係に少なくとも２つの前記ターゲットシーン情報に関連付けられた動的画像が存在する場合、予め設定されたルールに従って前記少なくとも２つの前記ターゲットシーン情報に関連付けられた動的画像から動的画像を前記補助動的画像として選択するように構成される選択サブモジュールとを含む
請求項２３または２４に記載の装置。
【請求項２６】
前記選択サブモジュールは、
前記少なくとも２つの前記ターゲットシーン情報に関連付けられた動的画像から１つの動的画像を前記補助動的画像としてランダムに選択するように構成される、
または、前記少なくとも２つの前記ターゲットシーン情報に関連付けられた動的画像から１つの出現回数の最も多い動的画像を前記補助動的画像として選択するように構成される、
または、前記少なくとも２つの前記ターゲットシーン情報に関連付けられた動的画像を重ね合わせて前記補助動的画像を形成するように構成される、
または、端末へ前記少なくとも２つの前記ターゲットシーン情報に関連付けられた動的画像を提供し、端末から送信された選択命令を受信し、前記選択命令が、ユーザが前記少なくとも２つの前記ターゲットシーン情報に関連付けられた動的画像から選択した動的画像を指示することに用いられ、ユーザより選択された動的画像を前記補助動的画像とするように構成される
請求項２５に記載の装置。
【請求項２７】
前記ターゲットシーン情報は、季節、地理的位置、地標、天気、気分と時間のうちの少なくとも一つを含む
請求項２３または２４に記載の装置。
【請求項２８】
前記処理サブモジュールは、
前記補助動的画像を前記ターゲット静的画像に重ね合わせて前記ターゲットカバー画像を取得するように構成される、
または、前記補助動的画像で前記ターゲット静的画像を入れ替えて前記ターゲットカバー画像を取得するように構成される、
または、前記補助動的画像を前記ターゲット静的画像と組み合わせて前記ターゲットカバー画像を取得するように構成される
請求項２３または２４に記載の装置。
【請求項２９】
前記装置は、
サーバに前記ターゲットシーン情報に関連付けられた補助動的画像が記憶されているかどうかを判定するように構成される第一の判定モジュールと、
前記サーバに前記補助動的画像が記憶されない場合、前記取得要求に応じて取得されたターゲット静的画像を前記ターゲットカバー画像とするように構成される第一の確定モジュールとをさらに含む
請求項２３または２４に記載の装置。
【請求項３０】
前記取得モジュールは、前記取得要求に応じてターゲットオーディオデータを確定し、
予め設定された動的カバーデータベースに取得された前記ターゲットオーディオデータに対応する動的画像をターゲットカバー画像とするように構成され、前記動的カバーデータベースがオーディオ情報を記録することに用いられ、各前記オーディオ情報がオーディオデータと動的画像を含む
請求項２２に記載の装置。
【請求項３１】
前記装置は、
前記動的カバーデータベースに前記ターゲットオーディオデータに対応する動的画像が記憶されているかどうかを判定するように構成される第二の判定モジュールと、
前記動的カバーデータベースに前記ターゲットオーディオデータに対応する動的画像が記憶されない場合、前記取得要求に応じて取得されたターゲット静的画像を前記ターゲットカバー画像とするように構成される第二の確定モジュールとをさらに含む
請求項３０に記載の装置。
【請求項３２】
前記装置は、
新規なオーディオ情報を受信するように構成され、前記新規なオーディオ情報がオーディオデータと静的画像を含む第一の情報受信モジュールと、
前記オーディオデータに基づいてシーン情報を確定するように構成され、前記シーン情報が前記オーディオデータに関連付けられたシーン特徴を表現することに用いられる情報確定モジュールと、
前記シーン情報に関連付けられた補助動的画像を確定するように構成される画像確定モジュールと、
前記補助動的画像を使用して前記静的画像を処理して動的画像を取得するように構成される処理モジュールと、
前記動的画像を使用して前記新規なオーディオ情報を更新して更新されたオーディオ情報を取得するように構成され、前記更新されたオーディオ情報が前記オーディオデータと前記動的画像を含む更新モジュールと、
更新されたオーディオ情報を予め設定された動的カバーデータベースに記憶するように構成され、前記予め設定された動的カバーデータベースに記録されたオーディオ情報に前記動的画像が含まれる第一の記憶モジュールとをさらに含む
請求項３０または３１に記載の装置。
【請求項３３】
前記装置は、
新規なオーディオデータを受信するように構成され、前記新規なオーディオ情報が動的画像を含む第二の情報受信モジュールと、
前記新規なオーディオ情報を予め設定された動的カバーデータベースに記憶するように構成され、前記予め設定された動的カバーデータベースに記録されたオーディオ情報に前記動的画像が含まれる第二の記憶モジュールとをさらに含む
請求項３０または３１に記載の装置。
【請求項３４】
前記ターゲットカバー画像が前記補助動的画像を前記ターゲット静的画像に重ね合わせて取得されたものであり、前記装置は、
表示パラメータを前記端末に送信するように構成され、前記端末が前記表示パラメータに基づいて前記補助動的画像の表示される時の特性を設定するように構成され、前記表示パラメータが透明度、解像度、画像位置のうちの少なくとも一つを含む第二の送信モジュールをさらに含む
請求項２８に記載の装置。
【請求項３５】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられる
請求項２２に記載の装置。
【請求項３６】
オーディオカバー表示装置であって、
オーディオカバーを取得する必要がある場合、サーバへターゲットカバー画像を要求するための取得要求を送信するように構成され、前記サーバが前記取得要求に応じて前記ターゲットカバー画像を取得するように構成され、前記ターゲットカバー画像がオーディオに対応する動的カバー画像及び静的カバー画像のうちの少なくとも一つを含む第一の送信モジュールと、
前記サーバから送信された前記ターゲットカバー画像を受信するように構成される第一の受信モジュールと、
オーディオカバーを表示する必要がある場合、予め取得された前記ターゲットカバー画像を表示するように構成される表示モジュールとを含む、
前記オーディオカバー表示装置。
【請求項３７】
前記表示モジュールは、端末のカバー表示インターフェイスの画像表示領域に予め取得された前記ターゲットカバー画像を表示するように構成される
請求項３６に記載の装置。
【請求項３８】
前記装置は、
前記サーバによって提供された少なくとも２つのターゲットシーン情報に関連付けられた動的画像を受信するように構成され、前記ターゲットシーン情報がターゲットオーディオデータに関連付けられたシーン特徴を表現することに用いられ、または、前記ターゲットシーン情報が端末の存在する環境のシーン特徴を表現することに用いられる第二の受信モジュールと、
ユーザが前記少なくとも２つの前記ターゲットシーン情報に関連付けられた動的画像から選択した動的画像を受信するように構成される第三の受信モジュールと、
前記サーバへ選択命令を送信するように構成され、前記選択命令がユーザより選択された動的画像を含み、前記サーバが前記ユーザより選択された動的画像を補助動的画像とするように構成される第二の送信モジュールとをさらに含む
請求項３６または３７に記載の装置。
【請求項３９】
前記ターゲットカバー画像が補助動的画像をターゲット静的画像に重ね合わせて取得されたものであり、前記装置は、
サーバから送信された表示パラメータを受信するように構成される第四の受信モジュールと、
前記表示パラメータに基づいて前記補助動的画像の表示される時の特性を設定するように構成され、前記表示パラメータが透明度、解像度、画像位置のうちの少なくとも一つを含む設定モジュールとをさらに含む
請求項３６または３７に記載の装置。
【請求項４０】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、前記表示モジュールは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更するように構成される
請求項３６または３７に記載の装置。
【請求項４１】
前記取得要求は、ターゲットシーン情報を含み、前記ターゲットシーン情報が端末の存在する環境のシーン特徴を表現することに用いられ、
前記装置は、
前記端末にインストールされた、前記ターゲットシーン情報に関連付けられたアプリケーションにより前記ターゲットシーン情報を確定するように構成される、
または、シーン情報提示オプションを表示し、ユーザが前記シーン情報提示オプションから選択したターゲットシーン情報を受信するように構成される、
または、シーン情報入力ボックスを表示し、ユーザが前記シーン情報入力ボックスに入力したターゲットシーン情報を受信するように構成される、
または、前記ターゲットシーン情報を確定する機能を備える機能サーバへ情報取得要求を送信し、前記機能サーバから送信されたターゲットシーン情報を受信するように構成されるシーン情報確定モジュールをさらに含む
請求項３６に記載の装置。
【請求項４２】
前記ターゲットシーン情報は、季節、地理的位置、地標、天気、気分と時間のうちの少なくとも一つを含む
請求項４１に記載の装置。
【請求項４３】
オーディオカバー表示装置であって、
プロセッサと、
プロセッサで実行可能な命令を記憶するように構成されるメモリとを含み、
ここで、前記プロセッサが、
端末から送信された、ターゲットカバー画像を要求するための取得要求を受信し、
前記取得要求に応じて前記ターゲットカバー画像を取得し、前記ターゲットカバー画像がオーディオに対応する動的カバー画像及び静的カバー画像のうちの少なくとも一つを含み、
前記ターゲットカバー画像を前記端末に送信するよう構成され、
前記端末が前記ターゲットカバー画像を表示するように構成される、
前記オーディオカバー表示装置。
【請求項４４】
オーディオカバー表示装置であって、
プロセッサと、
プロセッサで実行可能な命令を記憶するように構成されるメモリとを含み、
ここで、前記プロセッサが、
オーディオカバーを取得する必要がある場合、サーバへターゲットカバー画像を要求するための取得要求を送信し、前記サーバが前記取得要求に応じて前記ターゲットカバー画像を取得するように構成され、前記ターゲットカバー画像がオーディオに対応する動的カバー画像及び静的カバー画像のうちの少なくとも一つを含み、
前記サーバから送信された前記ターゲットカバー画像を受信し、オーディオカバーを表示する必要がある場合、予め取得された前記ターゲットカバー画像を表示するように構成される、
前記オーディオカバー表示装置。
【発明の詳細な説明】
【技術分野】
【０００１】
本発明は、電子技術応用分野に関し、特にオーディオカバー表示方法および装置に関する。
【背景技術】
【０００２】
本願は、出願番号２０１５１０５１８８７９．３、出願日２０１５年８月２１日の中国特許出願に基づいて提出され、この中国特許出願の優先権を主張し、その全ての内容がここに参照として本明細書に組み込まれる。
【０００３】
科学技術の発展に伴い、いくつかのオーディオ再生アプリケーション（英語：Ａｐｐｌｉｃａｔｉｏｎ、Ａｐｐと略称される）がより多く使用され、一般的なオーディオ再生アプリケーションは、音楽プレーヤアプリケーションまたは音楽ラジオアプリケーションなどを含むことができる。
【０００４】
関連技術において、端末にインストールされたオーディオ再生アプリケーションの表示インターフェイスは、様々なオーディオカバーをオーディオ入力ポートとして表示することができ、これらのオーディオカバーがアルバムカバー、アーティストカバー、歌曲リストカバーなどのピクチャーであってよく、ユーザよりオーディオカバーをクリックして生成されたトリガ命令を受信した後、端末は、これに対応して当該オーディオカバーに対応するオーディオリストを表示し、ユーザがクリックして再生するようにすることができる。
【発明の概要】
【発明が解決しようとする課題】
【０００５】
オーディオカバー表示形態が単一であるという問題を解決するために、本開示の実施例は、オーディオカバー表示方法および装置を提供する。前記技術的解決手段は、次の通りである。
【課題を解決するための手段】
【０００６】
本開示の実施例の第一の態様によるオーディオカバー表示方法は、
端末から送信された、ターゲットカバー画像を要求するための取得要求を受信することと、
前記取得要求に応じて前記ターゲットカバー画像を取得し、前記ターゲットカバー画像がオーディオに対応する動的カバー画像及び静的カバー画像のうちの少なくとも一つを含むことと、
前記ターゲットカバー画像を前記端末に送信し、前記端末が前記ターゲットカバー画像を表示するように構成されることとを含む。
【０００７】
また、前記取得要求に応じて前記ターゲットカバー画像を取得することは、
前記取得要求に応じてターゲットオーディオデータを確定し、
前記ターゲットオーディオデータに基づいてターゲットシーン情報とターゲット静的画像を確定し、前記ターゲットシーン情報が前記ターゲットオーディオデータに関連付けられたシーン特徴を表現することに用いられ、
前記ターゲットシーン情報に関連付けられた補助動的画像を取得し、
前記補助動的画像を使用して前記ターゲット静的画像を処理して前記ターゲットカバー画像を取得することを含む。
【０００８】
また、前記取得要求は、ターゲットシーン情報を含み、前記ターゲットシーン情報が前記端末の存在する環境のシーン特徴を表現することに用いられ、
前記取得要求に応じて前記ターゲットカバー画像を取得することは、
前記取得要求に応じてターゲット静的画像を取得し、
前記ターゲットシーン情報に関連付けられた補助動的画像を取得し、
前記補助動的画像を使用して前記ターゲット静的画像を処理して前記ターゲットカバー画像を取得することを含む。
【０００９】
また、前記ターゲットシーン情報に関連付けられた補助動的画像を取得することは、
予め設定されたシーン情報と動的画像の関係を検索し、
前記予め設定されたシーン情報と動的画像の関係に一つの前記ターゲットシーン情報に関連付けられた動的画像が存在する場合、前記ターゲットシーン情報に関連付けられた動的画像を前記補助動的画像とし、
前記予め設定されたシーン情報と動的画像の関係に少なくとも２つの前記ターゲットシーン情報に関連付けられた動的画像が存在する場合、予め設定されたルールに従って前記少なくとも２つの前記ターゲットシーン情報に関連付けられた動的画像から動的画像を前記補助動的画像として選択することを含む。
【００１０】
また、予め設定されたルールに従って前記少なくとも２つの前記ターゲットシーン情報に関連付けられた動的画像から動的画像を前記補助動的画像として選択することは、
前記少なくとも２つの前記ターゲットシーン情報に関連付けられた動的画像から１つの動的画像を前記補助動的画像としてランダムに選択すること、
または、前記少なくとも２つの前記ターゲットシーン情報に関連付けられた動的画像から１つの出現回数の最も多い動的画像を前記補助動的画像として選択すること、
または、前記少なくとも２つの前記ターゲットシーン情報に関連付けられた動的画像を重ね合わせて前記補助動的画像を形成すること、
または、端末へ前記少なくとも２つの前記ターゲットシーン情報に関連付けられた動的画像を提供し、端末から送信された選択命令を受信し、前記選択命令が、ユーザが前記少なくとも２つの前記ターゲットシーン情報に関連付けられた動的画像から選択した動的画像を指示することに用いられ、ユーザより選択された動的画像を前記補助動的画像とすることを含む。
【００１１】
また、前記ターゲットシーン情報は、季節、地理的位置、地標、天気、気分と時間のうちの少なくとも一つを含む。
【００１２】
また、前記補助動的画像を使用して前記ターゲット静的画像を処理して前記ターゲットカバー画像を取得することは、
前記補助動的画像を前記ターゲット静的画像に重ね合わせて前記ターゲットカバー画像を取得すること、
または、前記補助動的画像で前記ターゲット静的画像を入れ替えて前記ターゲットカバー画像を取得すること、
または、前記補助動的画像を前記ターゲット静的画像と組み合わせて前記ターゲットカバー画像を取得することを含む。
【００１３】
また、前記方法は、
サーバに前記ターゲットシーン情報に関連付けられた補助動的画像が記憶されているかどうかを判定することと、
前記サーバに前記補助動的画像が記憶されない場合、前記取得要求に応じて取得されたターゲット静的画像を前記ターゲットカバー画像とすることとをさらに含む。
【００１４】
また、前記取得要求に応じて前記ターゲットカバー画像を取得することは、
前記取得要求に応じてターゲットオーディオデータを確定し、
予め設定された動的カバーデータベースに取得された前記ターゲットオーディオデータに対応する動的画像をターゲットカバー画像とし、前記動的カバーデータベースがオーディオ情報を記録することに用いられ、各前記オーディオ情報がオーディオデータと動的画像を含むことを含む。
【００１５】
また、前記方法は、
前記動的カバーデータベースに前記ターゲットオーディオデータに対応する動的画像が記憶されているかどうかを判定することと、
前記動的カバーデータベースに前記ターゲットオーディオデータに対応する動的画像が記憶されない場合、前記取得要求に応じて取得されたターゲット静的画像を前記ターゲットカバー画像とすることとをさらに含む。
【００１６】
また、前記方法は、
新規なオーディオ情報を受信し、前記新規なオーディオ情報がオーディオデータと静的画像を含むことと、
前記オーディオデータに基づいてシーン情報を確定し、前記シーン情報が前記オーディオデータに関連付けられたシーン特徴を表現することに用いられることと、
前記シーン情報に関連付けられた補助動的画像を確定することと、
前記補助動的画像を使用して前記静的画像を処理して動的画像を取得することと、
前記動的画像を使用して前記新規なオーディオ情報を更新して更新されたオーディオ情報を取得し、前記更新されたオーディオ情報が前記オーディオデータと動的画像を含むことと、
更新されたオーディオ情報を予め設定された動的カバーデータベースに記憶し、前記予め設定された動的カバーデータベースに記録されたオーディオ情報に前記動的画像が含まれることとをさらに含む。
【００１７】
また、前記方法は、
新規なオーディオ情報を受信し、前記新規なオーディオ情報が動的画像を含むことと、
前記新規なオーディオ情報を予め設定された動的カバーデータベースに記憶し、前記予め設定された動的カバーデータベースに記録されたオーディオ情報に前記動的画像が含まれることとをさらに含む。
【００１８】
また、前記ターゲットカバー画像が前記補助動的画像を前記ターゲット静的画像に重ね合わせて取得されたものであり、前記方法は、
表示パラメータを前記端末に送信し、前記端末が前記表示パラメータに基づいて前記補助動的画像の表示される時の特性を設定するように構成され、前記表示パラメータが透明度、解像度、画像位置のうちの少なくとも一つを含むこととをさらに含む。
【００１９】
また、前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられる。
【００２０】
本開示の実施例の第二の態様によるオーディオカバー表示方法は、
オーディオカバーを取得する必要がある場合、サーバへターゲットカバー画像を要求するための取得要求を送信し、前記サーバが前記取得要求に応じて前記ターゲットカバー画像を取得するように構成され、前記ターゲットカバー画像がオーディオに対応する動的カバー画像及び静的カバー画像のうちの少なくとも一つを含むことと、
前記サーバから送信された前記ターゲットカバー画像を受信することと、
オーディオカバーを表示する必要がある場合、予め取得された前記ターゲットカバー画像を表示することとを含む。
【００２１】
また、予め取得された前記ターゲットカバー画像を表示することは、
端末のカバー表示インターフェイスの画像表示領域に予め取得された前記ターゲットカバー画像を表示することを含む。
【００２２】
また、前記方法は、
前記サーバによって提供された少なくとも２つのターゲットシーン情報に関連付けられた動的画像を受信し、前記ターゲットシーン情報がターゲットオーディオデータに関連付けられたシーン特徴を表現することに用いられ、または、前記ターゲットシーン情報が端末の存在する環境のシーン特徴を表現することに用いられ、
ユーザが前記少なくとも２つの前記ターゲットシーン情報に関連付けられた動的画像から選択した動的画像を受信することと、
前記サーバへ選択命令を送信し、前記選択命令がユーザより選択された動的画像を含み、前記サーバが前記ユーザより選択された動的画像を補助動的画像とするように構成されることとをさらに含む。
【００２３】
また、前記ターゲットカバー画像が補助動的画像をターゲット静的画像に重ね合わせて取得されたものであり、前記方法は、
サーバから送信された表示パラメータを受信することと、
前記表示パラメータに基づいて前記補助動的画像の表示される時の特性を設定し、前記表示パラメータが透明度、解像度、画像位置のうちの少なくとも一つを含むこととをさらに含む。
【００２４】
また、前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、
予め取得された前記ターゲットカバー画像を表示することは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更することを含む。
【００２５】
また、前記取得要求は、ターゲットシーン情報を含み、前記ターゲットシーン情報が端末の存在する環境のシーン特徴を表現することに用いられる。
【００２６】
前記方法は、
前記端末にインストールされた、前記ターゲットシーン情報に関連付けられたアプリケーションにより前記ターゲットシーン情報を確定すること、
または、シーン情報提示オプションを表示し、ユーザが前記シーン情報提示オプションから選択したターゲットシーン情報を受信すること、
または、シーン情報入力ボックスを表示し、ユーザが前記シーン情報入力ボックスに入力したターゲットシーン情報を受信すること、
または、前記ターゲットシーン情報を確定する機能を備える機能サーバへ情報取得要求を送信し、前記機能サーバから送信されたターゲットシーン情報を受信することをさらに含む。
【００２７】
また、前記ターゲットシーン情報は、季節、地理的位置、地標、天気、気分と時間のうちの少なくとも一つを含む。
【００２８】
本開示の実施例の第三の態様によるオーディオカバー表示装置は、
端末から送信された、ターゲットカバー画像を要求するための取得要求を受信するように構成される受信モジュールと、
前記取得要求に応じて前記ターゲットカバー画像を取得するように構成され、前記ターゲットカバー画像がオーディオに対応する動的カバー画像及び静的カバー画像のうちの少なくとも一つを含む取得モジュールと、
前記ターゲットカバー画像を前記端末に送信するように構成され、前記端末が前記ターゲットカバー画像を表示するように構成される送信モジュールとを含む。
【００２９】
また、前記取得モジュールは、
前記取得要求に応じてターゲットオーディオデータを確定するように構成されるデータ取得サブモジュールと、
前記ターゲットオーディオデータに基づいてターゲットシーン情報とターゲット静的画像を確定するように構成され、前記ターゲットシーン情報が前記ターゲットオーディオデータに関連付けられたシーン特徴を表現することに用いられる確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む。
【００３０】
また、前記取得要求は、ターゲットシーン情報を含み、前記ターゲットシーン情報が前記端末の存在する環境のシーン特徴を表現することに用いられる。
【００３１】
前記取得モジュールは、
前記取得要求に応じてターゲット静的画像を取得するように構成される確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む。
【００３２】
また、前記画像取得サブモジュールは、
予め設定されたシーン情報と動的画像の関係を検索するように構成される検索サブモジュールと、
前記予め設定されたシーン情報と動的画像の関係に一つの前記ターゲットシーン情報に関連付けられた動的画像が存在する場合、前記ターゲットシーン情報に関連付けられた動的画像を前記補助動的画像とするように構成される確定サブモジュールと、
前記予め設定されたシーン情報と動的画像の関係に少なくとも２つの前記ターゲットシーン情報に関連付けられた動的画像が存在する場合、予め設定されたルールに従って前記少なくとも２つの前記ターゲットシーン情報に関連付けられた動的画像から動的画像を前記補助動的画像として選択するように構成される選択サブモジュールとを含む。
【００３３】
また、前記選択サブモジュールは、
前記少なくとも２つの前記ターゲットシーン情報に関連付けられた動的画像から１つの動的画像を前記補助動的画像としてランダムに選択するように構成される、
または、前記少なくとも２つの前記ターゲットシーン情報に関連付けられた動的画像から１つの出現回数の最も多い動的画像を前記補助動的画像として選択するように構成される、
または、前記少なくとも２つの前記ターゲットシーン情報に関連付けられた動的画像を重ね合わせて前記補助動的画像を形成するように構成される、
または、端末へ前記少なくとも２つの前記ターゲットシーン情報に関連付けられた動的画像を提供し、端末から送信された選択命令を受信し、前記選択命令が、ユーザが前記少なくとも２つの前記ターゲットシーン情報に関連付けられた動的画像から選択した動的画像を指示することに用いられ、ユーザより選択された動的画像を前記補助動的画像とするように構成される。
【００３４】
また、前記ターゲットシーン情報は、季節、地理的位置、地標、天気、気分と時間のうちの少なくとも一つを含む。
【００３５】
また、前記処理サブモジュールは、
前記補助動的画像を前記ターゲット静的画像に重ね合わせて前記ターゲットカバー画像を取得するように構成される、
または、前記補助動的画像で前記ターゲット静的画像を入れ替えて前記ターゲットカバー画像を取得するように構成される、
または、前記補助動的画像を前記ターゲット静的画像と組み合わせて前記ターゲットカバー画像を取得するように構成される。
【００３６】
また、前記装置は、
サーバに前記ターゲットシーン情報に関連付けられた補助動的画像が記憶されているかどうかを判定するように構成される第一の判定モジュールと、
前記サーバに前記補助動的画像が記憶されない場合、前記取得要求に応じて取得されたターゲット静的画像を前記ターゲットカバー画像とするように構成される第一の確定モジュールとをさらに含む。
【００３７】
また、前記取得モジュールは、前記取得要求に応じてターゲットオーディオデータを確定し、
予め設定された動的カバーデータベースに取得された前記ターゲットオーディオデータに対応する動的画像をターゲットカバー画像とするように構成され、前記動的カバーデータベースがオーディオ情報を記録することに用いられ、各前記オーディオ情報がオーディオデータと動的画像を含む。
【００３８】
また、前記装置は、
前記動的カバーデータベースに前記ターゲットオーディオデータに対応する動的画像が記憶されているかどうかを判定するように構成される第二の判定モジュールと、
前記動的カバーデータベースに前記ターゲットオーディオデータに対応する動的画像が記憶されない場合、前記取得要求に応じて取得されたターゲット静的画像を前記ターゲットカバー画像とするように構成される第二の確定モジュールとをさらに含む。
【００３９】
また、前記装置は、
新規なオーディオ情報を受信するように構成され、前記新規なオーディオ情報がオーディオデータと静的画像を含む第一の情報受信モジュールと、
前記オーディオデータに基づいてシーン情報を確定するように構成され、前記シーン情報が前記オーディオデータに関連付けられたシーン特徴を表現することに用いられる情報確定モジュールと、
前記シーン情報に関連付けられた補助動的画像を確定するように構成される画像確定モジュールと、
前記補助動的画像を使用して前記静的画像を処理して動的画像を取得するように構成される処理モジュールと、
前記動的画像を使用して前記新規なオーディオ情報を更新して更新されたオーディオ情報を取得するように構成され、前記更新されたオーディオ情報が前記オーディオデータと前記動的画像を含む更新モジュールと、
更新されたオーディオ情報を予め設定された動的カバーデータベースに記憶し、前記予め設定された動的カバーデータベースに記録されたオーディオ情報に前記動的画像が含まれるように構成される第一の記憶モジュールとをさらに含む。
【００４０】
また、前記装置は、
新規なオーディオデータを受信するように構成され、前記新規なオーディオ情報が動的画像を含む第二の情報受信モジュールと、
前記新規なオーディオ情報を予め設定された動的カバーデータベースに記憶するように構成され、前記予め設定された動的カバーデータベースに記録されたオーディオ情報に前記動的画像が含まれる第二の記憶モジュールとをさらに含む。
【００４１】
また、前記ターゲットカバー画像が前記補助動的画像を前記ターゲット静的画像に重ね合わせて取得されたものであり、前記装置は、
表示パラメータを前記端末に送信するように構成され、前記端末が前記表示パラメータに基づいて前記補助動的画像の表示される時の特性を設定するように構成され、前記表示パラメータが透明度、解像度、画像位置のうちの少なくとも一つを含む第二の送信モジュールをさらに含む。
【００４２】
また、ターゲットカバー画像は、動的ピクチャー、ビデオと動的表示情報のいずれかの一つを含み、前記動的表示情報は、動的パラメータと静的ピクチャーを含み、前記動的パラメータが前記静的ピクチャーの表示される時の表示パラメータの変化特性を指示することに用いられる。
【００４３】
本開示の実施例の第四の態様によるオーディオカバー表示装置は、
オーディオカバーを取得する必要がある場合、サーバへターゲットカバー画像を要求するための取得要求を送信するように構成され、前記サーバが前記取得要求に応じて前記ターゲットカバー画像を取得するように構成され、前記ターゲットカバー画像がオーディオに対応する動的カバー画像及び静的カバー画像のうちの少なくとも一つを含む第一の送信モジュールと、
前記サーバから送信された前記ターゲットカバー画像を受信するように構成される第一の受信モジュールと、
オーディオカバーを表示する必要がある場合、予め取得された前記ターゲットカバー画像を表示するように構成される表示モジュールとを含む。
【００４４】
また、前記表示モジュールは、
端末のカバー表示インターフェイスの画像表示領域に予め取得された前記ターゲットカバー画像を表示するように構成される。
【００４５】
また、前記装置は、
前記サーバによって提供された少なくとも２つのターゲットシーン情報に関連付けられた動的画像を受信するように構成され、前記ターゲットシーン情報がターゲットオーディオデータに関連付けられたシーン特徴を表現することに用いられ、または、前記ターゲットシーン情報が端末の存在する環境のシーン特徴を表現することに用いられる第二の受信モジュールと、
ユーザが前記少なくとも２つの前記ターゲットシーン情報に関連付けられた動的画像から選択した動的画像を受信するように構成される第三の受信モジュールと、
前記サーバへ選択命令を送信するように構成され、前記選択命令がユーザより選択された動的画像を含み、前記サーバが前記ユーザより選択された動的画像を補助動的画像とするように構成される第二の送信モジュールとをさらに含む。
【００４６】
また、前記ターゲットカバー画像が補助動的画像をターゲット静的画像に重ね合わせて取得されたものであり、前記装置は、
サーバから送信された表示パラメータを受信するように構成される第四の受信モジュールと、
前記表示パラメータに基づいて前記補助動的画像の表示される時の特性を設定するように構成され、前記表示パラメータが透明度、解像度、画像位置のうちの少なくとも一つを含む設定モジュールとをさらに含む。
【００４７】
また、前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、前記表示モジュールは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更するように構成される。
【００４８】
また、前記取得要求は、ターゲットシーン情報を含み、前記ターゲットシーン情報が端末の存在する環境のシーン特徴を表現することに用いられ、
前記装置は、
前記端末にインストールされた、前記ターゲットシーン情報に関連付けられたアプリケーションにより前記ターゲットシーン情報を確定するように構成される、
または、シーン情報提示オプションを表示し、ユーザが前記シーン情報提示オプションから選択したターゲットシーン情報を受信するように構成される、
または、シーン情報入力ボックスを表示し、ユーザが前記シーン情報入力ボックスに入力したターゲットシーン情報を受信するように構成される、
または、前記ターゲットシーン情報を確定する機能を備える機能サーバへ情報取得要求を送信し、前記機能サーバから送信されたターゲットシーン情報を受信するように構成されるシーン情報確定モジュールをさらに含む。
【００４９】
また、前記ターゲットシーン情報は、季節、地理的位置、地標、天気、気分と時間のうちの少なくとも一つを含む。
【００５０】
本開示の実施例の第五の態様によるオーディオカバー表示装置は、
プロセッサと、
プロセッサで実行可能な命令を記憶するように構成されるメモリとを含み、
ここで、前記プロセッサが、
端末から送信された、ターゲットカバー画像を要求するための取得要求を受信し、
前記取得要求に応じて前記ターゲットカバー画像を取得し、前記ターゲットカバー画像がオーディオに対応する動的カバー画像及び静的カバー画像のうちの少なくとも一つを含み、
前記ターゲットカバー画像を前記端末に送信するように構成され、
前記端末が前記ターゲットカバー画像を表示するように構成される。
【００５１】
本開示の実施例の第六の態様によるオーディオカバー表示装置は、
プロセッサと、
プロセッサで実行可能な命令を記憶するように構成されるメモリとを含み、
ここで、前記プロセッサが、
オーディオカバーを取得する必要がある場合、サーバへターゲットカバー画像を要求するための取得要求を送信し、前記サーバが前記取得要求に応じて前記ターゲットカバー画像を取得するように構成され、前記ターゲットカバー画像がオーディオに対応する動的カバー画像及び静的カバー画像のうちの少なくとも一つを含み、
前記サーバから送信された前記ターゲットカバー画像を受信し、
オーディオカバーを表示する必要がある場合、予め取得された前記ターゲットカバー画像を表示するように構成される。
【００５２】
本開示の実施例によるオーディオカバー表示方法および装置において、サーバが端末から送信された取得要求に応じてターゲットカバー画像を取得し、端末へ当該ターゲットカバー画像を提供し、そして端末によって表示することにより、当該ターゲットカバー画像が動的カバー画像及び静的カバー画像のうちの少なくとも一つを含むので、オーディオカバーの表示形態を豊かにし、オーディオカバーの表示をより柔軟にするという有益な効果を含むことができる。
【００５３】
以上の一般的な説明と後の詳細な説明は、例示的なものだけであるが、本開示を制限することがきない。
【図面の簡単な説明】
【００５４】
【図１】一つの例示的な実施例によるオーディオカバー表示方法に関する実施環境を示す図である。
【図２】一つの例示的な実施例によるオーディオカバー表示方法のフローチャートである。
【図３】一つの例示的な実施例によるオーディオカバー表示方法のフローチャートである。
【図４−１】一つの例示的な実施例によるオーディオカバー表示方法のフローチャートである。
【図４−２】一つの例示的な実施例による取得要求に応じてターゲットカバー画像を取得する方法のフローチャートである。
【図４−３】一つの例示的な実施例によるターゲットシーン情報に関連付けられた補助動的画像を取得する方法のフローチャートである。
【図４−４】一つの例示的な実施例による静的ピクチャーが連続して変化する表示図である。
【図４−５】一つの例示的な実施例によるユーザによって補助動的画像を選択する方法のフローチャートである。
【図４−６】一つの例示的な実施例による補助動的画像を使用してターゲット静的画像を処理してターゲットカバー画像を取得する方法を示す図である。
【図４−７】別の例示的な実施例による補助動的画像を使用してターゲット静的画像を処理してターゲットカバー画像を取得する方法を示す図である。
【図４−８】別の例示的な実施例による補助動的画像を使用してターゲット静的画像を処理してターゲットカバー画像を取得する方法を示す図である。
【図４−９】別の例示的な実施例による取得要求に応じてターゲットカバー画像を取得する方法のフローチャートである。
【図４−１０】別の例示的な実施例によるターゲットシーン情報に関連付けられた補助動的画像を取得する方法のフローチャートである。
【図４−１１】一つの例示的な実施例によるターゲットカバー画像取得方法のフローチャートである。
【図４−１２】別の例示的な実施例による取得要求に応じてターゲットカバー画像を取得する方法のフローチャートである。
【図４−１３】一つの例示的な実施例による動的カバーデータベースを更新する方法のフローチャートである。
【図４−１４】一つの例示的な実施例による別の動的カバーデータベースを更新する方法のフローチャートである。
【図４−１５】一つの例示的な実施例によるターゲットカバー画像を表示する方法のフローチャートである。
【図４−１６】一つの例示的な実施例による動的カバー画像表示の効果図である。
【図４−１７】一つの例示的な実施例によるターゲットカバー画像取得方法のフローチャートである。
【図４−１８】一つの例示的な実施例によるカバー画像表示方法のフローチャートである。
【図５−１】一つの例示的な実施例によるオーディオカバー表示装置のブロック図である。
【図５−２】一つの例示的な実施例による取得モジュールのブロック図である。
【図５−３】一つの例示的な実施例による別の取得モジュールのブロック図である。
【図５−４】一つの例示的な実施例による画像取得サブモジュールのブロック図である。
【図５−５】一つの例示的な実施例による別のオーディオカバー表示装置のブロック図である。
【図５−６】一つの例示的な実施例による別のオーディオカバー表示装置のブロック図である。
【図５−７】一つの例示的な実施例による別のオーディオカバー表示装置のブロック図である。
【図５−８】別の例示的な実施例によるオーディオカバー表示装置のブロック図である。
【図５−９】別の例示的な実施例によるオーディオカバー表示装置のブロック図である。
【図６−１】別の例示的な実施例による別のオーディオカバー表示装置のブロック図である。
【図６−２】別の例示的な実施例による別のオーディオカバー表示装置のブロック図である。
【図６−３】別の例示的な実施例による別のオーディオカバー表示装置のブロック図である。
【図６−４】別の例示的な実施例による別のオーディオカバー表示装置のブロック図である。
【図７】一つの例示的な実施例によるオーディオカバー表示システムを示す図である。
【図８】一つの例示的な実施例によるオーディオカバー表示装置のブロック図である。
【図９】一つの例示的な実施例によるオーディオカバー表示装置のブロック図である。
【図１０】一つの例示的な実施例によるオーディオカバー表示システムを示す図である。
【発明を実施するための形態】
【００５５】
本開示の実施例をより明確に説明するために、以下に実施例の説明のために必要な図面を簡単に説明し、明らかに、以下の説明される図面が本開示のいくつかの実施例だけであり、当業者にとって、創造的な労働をしない前提で、これらの図面に基づいて他の図面を取得することができる。
【００５６】
ここの図面が明細書に組み込まれて本明細書の一部を構成し、本開示に合致する実施例を示し、明細書と共に本開示の実施例の原理を解釈することに用いられる。
【００５７】
本開示の実施例の目的、技術的解決手段と利点をより明らかにするために、以下に図面を参照して本開示の実施例をさらに詳細に説明し、明らかに、説明される実施例が本開示の実施例の全部ではなく、本開示の実施例の一部だけである。本開示における実施例に基づいて、当業者が創造的な労働をしない前提で取得されたすべての他の実施例は、本開示の実施例の保護範囲に属する。
【００５８】
図１を参照し、それが本開示の実施例の一部によるオーディオカバー表示方法に関する実施環境を示す図である。当該実施環境は、サーバ１１０と少なくとも一つの端末１２０を含むことができる。
【００５９】
サーバ１１０は、１つのサーバ、または若干のサーバからなるサーバ群、または、１つのクラウドコンピューティングサービスセンターであってよい。端末１２０は、スマートフォン、コンピュータ、マルチメディアプレーヤー、電子書籍リーダー、ウェアラブルデバイスなどであってよい。
【００６０】
サーバ１１０と端末１２０は、有線ネットワークまたは無線ネットワークを介して接続を確立することができる。端末１２０は、オーディオ再生アプリケーションをインストールし、オーディオ再生を行うことができ、サーバ１１０は、端末１２０にオーディオとオーディオに関する情報を提供することができる。
【００６１】
関連技術において、端末がオーディオ再生アプリケーションをインストールでき、端末にインストールされたオーディオ再生アプリケーションの表示インターフェイスに様々なオーディオカバーを表示することができ、これらのオーディオカバーがアルバムカバー、アーティストカバー、歌曲リストカバーなどのピクチャーであってよく、これらのピクチャーが静的ピクチャであるので、表示形態が単一である。
【００６２】
図２は本開示の一つの例示的な実施例によるオーディオカバー表示方法のフローチャートであり、図１に示すサーバ１１０に用いられることができ、当該方法は、以下のステップを含む。
【００６３】
ステップ２０１、端末から送信された、ターゲットカバー画像を要求するための取得要求を受信する。
【００６４】
ステップ２０２、取得要求に応じてターゲットカバー画像を取得し、ターゲットカバー画像がオーディオに対応する動的カバー画像及び静的カバー画像のうちの少なくとも一つを含む。
【００６５】
本開示の実施例において、当該ターゲットカバー画像は、オーディオに対応する動的カバー画像、またはオーディオに対応する静的カバー画像、またはオーディオに対応する動的画像および静的画像である。
【００６６】
ステップ２０３、ターゲットカバー画像を端末に送信し、端末がターゲットカバー画像を表示することに用いられる。
【００６７】
上述したように、本開示の実施例によるオーディオカバー表示方法において、サーバが端末から送信された取得要求に応じてターゲットカバー画像を取得し、端末へ当該ターゲットカバー画像を提供し、端末によって表示することにより、当該ターゲットカバー画像が動的カバー画像及び静的カバー画像のうちの少なくとも一つを含むので、オーディオカバー画像の表示形態を豊かにし、オーディオカバーの表示をより柔軟にする。
【００６８】
また、取得要求に応じてターゲットカバー画像を取得することは、
取得要求に応じてターゲットオーディオデータを確定し、
ターゲットオーディオデータに基づいてターゲットシーン情報とターゲット静的画像を確定し、ターゲットシーン情報がターゲットオーディオデータに関連付けられたシーン特徴を表現することに用いられ、
ターゲットシーン情報に関連付けられた補助動的画像を取得し、
補助動的画像を使用してターゲット静的画像を処理してターゲットカバー画像を取得することを含む。
【００６９】
また、取得要求は、ターゲットシーン情報を含み、ターゲットシーン情報が端末の存在する環境のシーン特徴を表現することに用いられ、
取得要求に応じてターゲットカバー画像を取得することは、
取得要求に応じてターゲット静的画像を取得し、
ターゲットシーン情報に関連付けられた補助動的画像を取得し、
補助動的画像を使用してターゲット静的画像を処理してターゲットカバー画像を取得することを含む。
【００７０】
また、ターゲットシーン情報に関連付けられた補助動的画像を取得することは、
予め設定されたシーン情報と動的画像の関係を検索し、
予め設定されたシーン情報と動的画像の関係に一つのターゲットシーン情報に関連付けられた動的画像が存在する場合、ターゲットシーン情報に関連付けられた動的画像を補助動的画像とし、
予め設定されたシーン情報と動的画像の関係に少なくとも２つのターゲットシーン情報に関連付けられた動的画像が存在する場合、予め設定されたルールに従って少なくとも２つの前記ターゲットシーン情報に関連付けられた動的画像から動的画像を補助動的画像として選択することを含む。
【００７１】
また、予め設定されたルールに従って少なくとも２つのターゲットシーン情報に関連付けられた動的画像から動的画像を前記補助動的画像として選択することは、
少なくとも２つのターゲットシーン情報に関連付けられた動的画像から１つの動的画像を補助動的画像としてランダムに選択すること、
または、少なくとも２つのターゲットシーン情報に関連付けられた動的画像から１つの出現回数の最も多い動的画像を補助動的画像として選択すること、
または、少なくとも２つのターゲットシーン情報に関連付けられた動的画像を重ね合わせて補助動的画像を形成すること、
または、端末へ少なくとも２つのターゲットシーン情報に関連付けられた動的画像を提供し、端末から送信された選択命令を受信し、選択命令が、ユーザが少なくとも２つのターゲットシーン情報に関連付けられた動的画像から選択した動的画像を指示することに用いられ、ユーザより選択された動的画像を補助動的画像とすることを含む。
【００７２】
また、ターゲットシーン情報は、季節、地理的位置、地標、天気、気分と時間のうちの少なくとも一つを含む。
【００７３】
また、補助動的画像を使用してターゲット静的画像を処理してターゲットカバー画像を取得することは、
補助動的画像をターゲット静的画像に重ね合わせてターゲットカバー画像を取得すること、
または、補助動的画像でターゲット静的画像を入れ替えてターゲットカバー画像を取得すること、
または、補助動的画像をターゲット静的画像と組み合わせてターゲットカバー画像を取得することを含む。
【００７４】
また、前記方法は、
サーバにターゲットシーン情報に関連付けられた補助動的画像が記憶されているかどうかを判定することと、
サーバに補助動的画像が記憶されない場合、取得要求に応じて取得されたターゲット静的画像をターゲットカバー画像とすることとをさらに含む。
【００７５】
また、取得要求に応じてターゲットカバー画像を取得することは、
取得要求に応じてターゲットオーディオデータを確定し、
予め設定された動的カバーデータベースに取得されたターゲットオーディオデータに対応する動的画像をターゲットカバー画像とし、動的カバーデータベースがオーディオ情報を記録することに用いられ、各オーディオ情報がオーディオデータと動的画像を含むことを含む。
【００７６】
また、前記方法は、
動的カバーデータベースにターゲットオーディオデータに対応する動的画像が記憶されているかどうかを判定することと、
動的カバーデータベースにターゲットオーディオデータに対応する動的画像が記憶されない場合、取得要求に応じて取得されたターゲット静的画像をターゲットカバー画像とすることとをさらに含む。
【００７７】
また、前記方法は、
新規なオーディオ情報を受信し、新規なオーディオ情報がオーディオデータと静的画像を含むことと、
オーディオデータに基づいてシーン情報を確定し、シーン情報がオーディオデータに関連付けられたシーン特徴を表現することに用いられることと、
シーン情報に関連付けられた補助動的画像を確定することと、
補助動的画像を使用して静的画像を処理して動的画像を取得することと、
動的画像を使用して新規なオーディオ情報を更新して更新されたオーディオ情報を取得し、更新されたオーディオ情報がオーディオデータと動的画像を含むことと、
更新されたオーディオ情報を予め設定された動的カバーデータベースに記憶し、予め設定された動的カバーデータベースに記録されたオーディオ情報に動的画像が含まれることとをさらに含む。
【００７８】
また、前記方法は、
新規なオーディオ情報を受信し、新規なオーディオ情報が動的画像を含むことと、
新規なオーディオ情報を予め設定された動的カバーデータベースに記憶し、予め設定された動的カバーデータベースに記録されたオーディオ情報に動的画像が含まれることとをさらに含む。
【００７９】
また、ターゲットカバー画像が補助動的画像をターゲット静的画像に重ね合わせて取得されたものであり、前記方法は、
表示パラメータを端末に送信し、端末が表示パラメータに基づいて補助動的画像の表示される時の特性を設定するように構成され、表示パラメータが透明度、解像度、画像位置のうちの少なくとも一つを含むこととをさらに含む。
【００８０】
また、ターゲットカバー画像は、動的ピクチャー、ビデオと動的表示情報のいずれかの一つを含み、動的表示情報が動的パラメータと静的ピクチャーを含み、動的パラメータが静的ピクチャーの表示される時の表示パラメータの変化特性を指示することに用いられる。
【００８１】
上述したように、本開示の実施例によるオーディオカバー表示方法において、サーバが端末から送信された取得要求に応じてターゲットカバー画像を取得し、端末へ当該ターゲットカバー画像を提供し、端末によって表示することにより、当該ターゲットカバー画像が動的カバー画像及び静的カバー画像のうちの少なくとも一つを含むので、オーディオカバー画像の表示形態を豊かにし、オーディオカバーの表示をより柔軟にする。
【００８２】
図３は本開示の一つの例示的な実施例によるオーディオカバー表示方法のフローチャートであり、図１に示す端末１２０に用いられることができ、当該方法は、以下のステップを含む。
【００８３】
ステップ３０１、オーディオカバーを取得する必要がある場合、サーバへターゲットカバー画像を要求するための取得要求を送信し、当該サーバが取得要求に応じてターゲットカバー画像を取得することに用いられ、当該ターゲットカバー画像がオーディオに対応する動的カバー画像及び静的カバー画像のうちの少なくとも一つを含む。
【００８４】
ステップ３０２、サーバから送信されたターゲットカバー画像を受信する。
【００８５】
ステップ３０３、オーディオカバーを表示する必要がある場合、予め取得されたターゲットカバー画像を表示する。
【００８６】
上述したように、本開示の実施例によるオーディオカバー表示方法において、サーバが端末から送信された取得要求に応じてターゲットカバー画像を取得し、端末へ当該ターゲットカバー画像を提供し、端末によって表示することにより、当該ターゲットカバー画像が動的カバー画像及び静的カバー画像のうちの少なくとも一つを含むので、オーディオカバー画像の表示形態を豊かにし、オーディオカバーの表示をより柔軟にする。
【００８７】
また、予め取得されたターゲットカバー画像を表示することは、
端末のカバー表示インターフェイスの画像表示領域に予め取得されたターゲットカバー画像を表示することを含む。
【００８８】
また、前記方法は、
サーバによって提供された少なくとも２つのターゲットシーン情報に関連付けられた動的画像を受信し、ターゲットシーン情報がターゲットオーディオデータに関連付けられたシーン特徴を表現することに用いられ、または、ターゲットシーン情報が端末の存在する環境のシーン特徴を表現することに用いられることと、
ユーザが少なくとも２つのターゲットシーン情報に関連付けられた動的画像から選択した動的画像を受信することと、
サーバへ選択命令を送信し、選択命令がユーザより選択された動的画像を含み、サーバがユーザより選択された動的画像を補助動的画像とするように構成されることとをさらに含む。
【００８９】
また、ターゲットカバー画像が補助動的画像をターゲット静的画像に重ね合わせて取得されたものであり、前記方法は、
サーバから送信された表示パラメータを受信することと、
表示パラメータに基づいて補助動的画像の表示される時の特性を設定し、表示パラメータが透明度、解像度、画像位置のうちの少なくとも一つを含むこととをさらに含む。
【００９０】
また、ターゲットカバー画像は、動的ピクチャー、ビデオと動的表示情報のいずれかの一つを含み、動的表示情報が動的パラメータと静的ピクチャーを含み、動的パラメータが静的ピクチャーの表示される時の表示パラメータの変化特性を指示することに用いられ、
予め取得されたターゲットカバー画像を表示することは、
ターゲットカバー画像の内容を検出し、
ターゲットカバー画像が動的表示情報を含む場合、静的ピクチャーを表示し、かつ動的パラメータに基づいて静的ピクチャーの表示される時の表示パラメータの特性を変更することを含む。
【００９１】
また、取得要求は、ターゲットシーン情報を含み、ターゲットシーン情報が端末の存在する環境のシーン特徴を表現することに用いられ、
前記方法は、
端末にインストールされた、ターゲットシーン情報に関連付けられたアプリケーションによりターゲットシーン情報を確定すること、
または、シーン情報提示オプションを表示し、ユーザがシーン情報提示オプションから選択したターゲットシーン情報を受信すること、
または、シーン情報入力ボックスを表示し、ユーザがシーン情報入力ボックスに入力したターゲットシーン情報を受信すること、
または、ターゲットシーン情報を確定する機能を備える機能サーバへ情報取得要求を送信し、機能サーバから送信されたターゲットシーン情報を受信することをさらに含む。
【００９２】
また、ターゲットシーン情報は、季節、地理的位置、地標、天気、気分と時間のうちの少なくとも一つを含む。
【００９３】
上述したように、本開示の実施例によるオーディオカバー表示方法において、サーバが端末から送信された取得要求に応じてターゲットカバー画像を取得し、端末へ当該ターゲットカバー画像を提供し、端末によって表示することにより、当該ターゲットカバー画像が動的カバー画像及び静的カバー画像のうちの少なくとも一つを含むので、オーディオカバー画像の表示形態を豊かにし、オーディオカバーの表示をより柔軟にする。
【００９４】
図４−１は本開示の一つの例示的な実施例によるオーディオカバー表示方法のフローチャートであり、図１に示す実施環境に用いられることができ、前記方法は以下のステップを含む。
【００９５】
ステップ４０１、オーディオカバーを取得する必要がある場合、端末は、サーバへターゲットカバー画像を要求するための取得要求を送信する。
【００９６】
端末にオーディオ再生アプリケーション、例えば音楽プレーヤアプリケーション、ラジオアプリケーション、音楽ラジオ局アプリケーション、などがインストールされることができ、当該オーディオ再生アプリケーションは、端末が備えるシステムアプリケーションであってよく、端末によりダウンロードされるものであってもよい。ユーザがオーディオ再生アプリケーションをオープンにし、またはオーディオ再生アプリケーションにより関連するオーディオを検索し、または予め設定されたアプリケーションインターフェイス（例えばアプリケーションのメインインターフェイス）にアクセスしたい場合、カバー画像を表示する必要があり、端末は、サーバへターゲットカバー画像を要求するための取得要求を送信することができ、当該サーバがオーディオ再生アプリケーションのバックエンドサーバーである。例えば、当該取得要求は、歌曲リストカバー画像を要求するための歌曲リストカバー取得要求であってよく、これに対応して、ターゲットカバー画像は、歌曲リストカバー画像であってよい。
【００９７】
ステップ４０２、サーバは、取得要求に応じてターゲットカバー画像を取得し、当該ターゲットカバー画像がオーディオに対応する動的カバー画像及び静的カバー画像のうちの少なくとも一つを含む。
【００９８】
ステップ４０３、サーバは、ターゲットカバー画像を端末に送信する。
【００９９】
ステップ４０４、オーディオカバーを表示する必要がある場合、予め取得されたターゲットカバー画像を表示する。
【０１００】
本開示の実施例において、端末のカバー表示インターフェイス表示領域に予め取得されたターゲットカバー画像を表示することができ、端末のカバー表示インターフェイスの他の領域（例えば文字表示領域またはボタン表示領域）の表示形態が関連技術と同じであるので、本開示の実施例において限定されない。
【０１０１】
また、ターゲットカバー画像が動的カバー画像である場合、ターゲットカバー画像は、動的ピクチャー、ビデオと動的表示情報のいずれかの一つを含むことができ、動的表示情報が動的パラメータと静的ピクチャーを含み、動的パラメータが静的ピクチャーの表示される時の表示パラメータの変化特性を指示することに用いられ、本開示の実施例において、サーバは、予めシーン情報と動的画像の関係を確立することができ、動的画像が動的ピクチャー、ビデオと動的表示情報のいずれかの一つを含むことができ、ここで、動的ピクチャーがＧＩＦピクチャーであってよく、当該ピクチャーが画像処理ソフトウェア、例えばＰＳソフトウェアを使用して、ビデオをＧＩＦピクチャーに変換したものであってよく、画像処理ソフトウェア、例えばＰＳまたはＡＥ（英語：Ａｄｏｂｅ（登録商標）  Ａｆｔｅｒ  Ｅｆｆｅｃｔｓ）ソフトウェアを使用して、いくつかの静的ピクチャーを１フレームずつ接続してＧＩＦピクチャーに作成したものであってもよい。ビデオは、ａｖｉ、ｗｍｖ、ｒｍ、ｒｍｖｂ、３ｇｐ、ｍｐｇまたはｍｏｖなどのフォーマットのビデオであってよい。当該動的表示情報は、動的パラメータと静的ピクチャーを含むことができ、当該動的パラメータが静的ピクチャーの表示される時の表示パラメータの変化特性を指示することに用いられ、当該動的パラメータがピクチャー解像度、画像位置、ディスプレイの走査周波数またはディスプレイのリフレッシュレートなどの表示パラメータの連続変化値であってよい。
【０１０２】
また、ステップ４０２において、サーバが取得要求に応じてターゲットカバー画像を取得する方法は、複数であってよく、本開示の実施例において以下の２つの方法を例とする。
【０１０３】
第一の方面、サーバは、取得要求に応じて確定されたターゲットシーン情報に基づいてターゲットカバー画像を取得することができる。
【０１０４】
ここで、ターゲットシーン情報は、季節、地理的位置、地標、天気、気分と時間のうちの少なくとも一つを含むことができる。ターゲットシーン情報の取得方式によって、サーバは、取得要求に応じて確定されたターゲットシーン情報に基づいてターゲットカバー画像を取得する方式は、複数であってよく、本開示の実施例において以下の２つを例とする。
【０１０５】
第一の実施可能形態において、図４−２に示すように、図４−２は本開示の一つの例示的な実施例による取得要求に応じてターゲットカバー画像を取得する方法のフローチャートであり、当該方法は、以下のステップを含む。
【０１０６】
ステップ４０２１ａ、サーバは、取得要求に応じてターゲットオーディオデータを確定する。
【０１０７】
異なる使用シーンにおいて、取得要求に含まれる内容が異なるので、サーバは、取得要求の内容に応じて異なる方式で対応するターゲットオーディオデータを取得することができると説明すべきである。オーディオ再生アプリケーションが音楽プレーヤアプリケーションであると仮定すると、ユーザは、クリックジェスチャーなどのトリガジェスチャーで音楽プレーヤアプリケーションを起動する場合、音楽プレーヤアプリケーションは、そのメインインターフェイスを表示する必要があり、当該メインインターフェイスに少なくとも一つのカバー画像を表示し、端末は、サーバへ取得要求を送信し、この場合、取得要求は、音楽プレーヤアプリケーションがオープンになることを指示でき、例えばメインインターフェイスの識別子を使用して音楽プレーヤアプリケーションがオープンになることを指示し、サーバが当該取得要求に応じて予め設定された、メインインターフェイスに対応するオーディオデータをターゲットオーディオデータとして取得する。ユーザがオーディオ再生アプリケーションの検索ボックスにより再生したいオーディオを検索し検索ボックスへキーワードを入力する場合、端末は、サーバへ取得要求を送信し、当該取得要求が当該キーワードを含み、サーバは、対応するデータベースに当該キーワードとマッチングする少なくとも１セットのオーディオデータを検索し、当該少なくとも１セットのオーディオデータをターゲットオーディオデータとする。ユーザがクリックジェスチャーなどのトリガージェスチャーにより音楽プレーヤアプリケーションのプリセットインターフェイス（例えば「音楽検索」、「精選歌曲リスト」または「マイミュージック」を起動する場合、音楽プレーヤアプリケーションは、そのプリセットインターフェイスを表示し、当該プリセットインターフェイスに少なくとも一つのカバー画像を表示する必要があり、端末がサーバへ取得要求を送信し、この時、取得要求は、プリセットインターフェイスがオープンになることを指示でき、例えば、プリセットインターフェイスの識別子を使用してプリセットインターフェイスがオープンになることを指示し、サーバは、当該取得要求に応じて、予め設定された、プリセットインターフェイスの識別子に対応するオーディオデータをターゲットオーディオデータとして取得する。実際の応用において、ターゲットオーディオデータ取得プロセスについて、対応する技術を参照することができ、本開示の実施例において説明を省略する。
【０１０８】
例えば、ユーザがクリックジェスチャーなどのトリガジェスチャーにより音楽プレーヤーアプリケーションの「マイミュージック」の存在するインターフェイスを起動する場合、音楽プレーヤーアプリケーションは、「マイミュージック」の存在するインターフェイスを表示し、当該「マイミュージック」の存在するインターフェイスに少なくとも一つのカバー画像を表示する必要があり、端末は、サーバへ取得要求を送信し、この場合、取得要求は、「マイミュージック」の識別子を使用してプリセットインターフェイスがオープンになることを指示し、サーバは、「マイミュージック」の識別子に基づいて、「マイミュージック」の識別子に対応するオーディオデータである「王菲のクラシック歌曲」を取得する。
【０１０９】
実際応用において、取得要求がユーザのユーザ名およびパスワードをさらに含むことができ、サーバは、当該ユーザ名およびパスワードに基づいてユーザ認証を行い、ユーザが対応する権限を持つことを確定した場合に前記ターゲットオーディオ情報の取得プロセスを実行し、認証プロセスについて関連技術を参照でき、本開示の実施例において説明を省略する。
【０１１０】
ステップ４０２２ａ、サーバは、ターゲットオーディオデータに基づいてターゲットシーン情報とターゲット静的画像を確定し、ターゲットシーン情報がターゲットオーディオデータに関連付けられたシーン特徴を表現することに用いられる。
【０１１１】
一方、サーバは、ターゲットオーディオデータに基づいてターゲットシーン情報を確定することができる。
【０１１２】
本開示の実施例において、ターゲットシーン情報は、当該ターゲットオーディオデータに関連付けられたシーン特徴を表現することに用いられることができ、これらのシーン特徴は、ターゲットオーディオデータのいくつかの特徴を表現することができる。例えば、当該ターゲットシーン情報は、季節、地理的位置、地標、天気、気分と時間のうちの少なくとも一つを含むことができる。その中、季節は、春、夏、秋および冬などを含むことができる。地理的位置は、北京、上海などの人工的に区画された地域、または海、湖、草原などの特徴を持つ自然地域を含むことができる。地標は、東洋の真珠、氷、雪、月、星などのオブジェクトを含むことができる。天気は、突風、豪雨、霧、霧雨などの天気を含むことができる。気分は、楽しい、悲しいなどであってよい。時間は、早朝、夕方などを含むことができる。本開示の実施例がこれに対して例示的に説明するだけであるので、本開示の実施例の他の実施形態も本開示の保護範囲に含まれるべきであると容易に考えられる。
【０１１３】
本開示の実施例においてオーディオの記述情報を分析することでターゲットシーン情報を確定することができ、例えば、オーディオの記述情報が当該オーディオの関連情報、例えば名称、歌詞およびソースなどを含むことができ、そのテキストフォーマット、例えばｔｘｔフォーマットであってよいので、テキスト分析により記述情報に関するシーン特徴を確定し、そして当該シーン特徴をターゲットシーン情報とすることができ、オーディオの再生内容を分析することでターゲットシーン情報を確定することもでき、例えば、オーディオが再生する場合のリズムを分析することでオーディオによって表現される気分を確定することができ、例えばリズムが速いと、当該オーディオによって表現される気分が楽しいことを確定することができ、また、前記ターゲットシーン情報のタイプに応じて予め各オーディオデータを分類し、ターゲットオーディオデータの所属するタイプをターゲットシーン情報に確定することができ、例えば、ターゲットオーディオの所属するタイプが「悲しい愛の歌」であり、ターゲットシーン情報が「悲しい」であることを確定することができる。
【０１１４】
そして、ターゲットオーディオデータは、少なくとも一つのオーディオを含むことができるので、ターゲットオーディオデータに基づいてターゲットシーン情報を確定する方法は、複数であってよく、当該ターゲットデータが一つのオーディオを含むと、当該オーディオに関連するシーン特徴をターゲットシーン情報とし、当該オーディオに関連するシーン特徴が当該オーディオの記述情報により確定されることができ、当該ターゲットオーディオデータが少なくとも２つのオーディオを含むと、予め設定されたルールに応じて当該少なくとも２つのオーディオに関連されたシーン特徴を確定し、そして当該少なくとも２つのオーディオに関連付けられたシーン特徴をターゲットシーン情報とすることができる。例えば、予め設定されたルールは、当該少なくとも２つのオーディオから一つのオーディオをランダムに選択し、選択されたオーディオに関連付けられたシーン特徴を当該少なくとも２つのオーディオに関連付けられたシーン特徴として確定することであってよい。予め設定されたルールは、当該少なくとも２つのオーディオのそれぞれに関連付けられたシーン特徴を確定し、当該少なくとも２つのオーディオに関連付けられたシーン特徴のうちの出現回数の最も多いシーン特徴をターゲットシーン情報とすることであってもよい。予め設定されたルールは、予め設定された、当該少なくとも２つのオーディオを説明するシーン情報をターゲットシーン情報として、当該少なくとも２つのオーディオのシーン情報が当該少なくとも２つのオーディオの記述情報全体により確定されることができる。予め設定されたルールは、当該少なくとも２つのオーディオに対して予め設定されたソートルールに従ってソートし、ソートされたオーディオから予め設定された位置にある１つのオーディオ（例えば1番目のオーディオ）を選択し、選択されたオーディオに関連付けられたシーン特徴を当該少なくとも２つのオーディオに関連付けられたシーン特徴として確定することであってよい。
【０１１５】
例えば、取得要求に応じて確定されたオーディオデータが「王菲のクラシック歌曲」であると仮定すると、当該オーディオデータに１つのオーディオ、例えば「光陰矢の如しの年」が含まれる場合、「光陰矢の如しの年」の記述情報、例えば歌詞に基づいて、シーン情報が「冬」、「氷」および「春」を含むことを確定することができ、当該オーディオデータに少なくとも２つのオーディオ、例えば「光陰矢の如しの年」、「赤の豆」、「つかの間の時間」などを含む場合、当該少なくとも２つのオーディオの全体記述情報に基づいてシーン情報を確定することができ、例えば、当該全体記述として、王菲のクラシック歌曲が心の感動を喚起でき、たまに湖水のように静謐であり、たまに空のように紺碧である場合、テキスト分析によりシーン情報が湖を含むことを確定することができる。
【０１１６】
他方、サーバは、ターゲットオーディオデータに基づいてターゲット静的画像を確定することができる。
【０１１７】
実際の応用において、サーバは、オーディオに関する情報を記憶するための静的カバーデータベースを確立することができ、新規なオーディオ情報を取得するたびに、当該新規なオーディオ情報がオーディオデータと静的画像を含むことができ、関連技術において、静的画像を当該オーディオデータに対応するオーディオカバーとすることができるが、このような表示方式が比較的単一である。本開示の実施例において、サーバは、当該静的カバーデータベースにおける静的画像を処理することができる。
【０１１８】
例えば、当該静的カバーデータベースに記憶されたオーディオ情報が表１に示されるように、各オーディオ情報がオーディオデータと静的画像を含むことができ、当該オーディオデータがオーディオの記述情報、オーディオの再生データなどを含むことができ、当該オーディオの記述情報が当該オーディオの関連情報、例えば名称、歌詞及びソースを含むことができ、それがテキストフォーマット、例えばｔｘｔフォーマットであってよく、オーディオの再生データが実際のオーディオであり、オーディオフォーマット、例えばＷＡＶ、ｍｐ３などのフォーマットであってよい。当該オーディオの再生データは、少なくとも一つのオーディオを含むことができ、一般的に複数のオーディオの集合であってよく、オーディオの再生データが複数のオーディオの集合である場合、オーディオの記述情報は、当該複数のオーディオの集合の全体記述情報であってよく、各オーディオの記述情報であってもよく、本開示の実施例において説明されなく、静的画像は、一般的に予め設定された静的ピクチャーである。
【０１１９】
例えば、静的カバーデータベースに記憶されたオーディオ情報が樂曲リスト情報である場合、各オーディオ情報は、樂曲リストデータと静的画像を含むことができ、当該樂曲リストデータが樂曲リストの記述情報、樂曲リストの再生データなどを含むことができ、樂曲リストの記述情報が当該樂曲リストの関連情報、例えば名称、代表的歌詞およびソースなどを含むことができ、樂曲リストの再生データが樂曲リストにおける各樂曲のオーディオを含み、複数のオーディオの集合である。例えば、樂曲リストの記述情報は、「１人あたりの１首の有名な曲」、「７月７日に晴れ、空は突然に雨が降り始める……」であってよく、「ｘｘ音楽」に由来し、ここで、「ｘｘ音楽」が「１人あたりの１首の有名な曲」を提供するオーディオ再生アプリケーションに対応するサーバ名称である。各オーディオ情報は、当該オーディオ情報を容易に検索するための一意の識別子が設定されることができ、各静的画像は、当該静的画像を容易に検索するための一意の識別子が設定されることができ、表１に示されない。例えば、表１に示すように、識別子が１００であるオーディオ情報に含まれるオーディオデータがオーディオ集合「王菲のクラシック歌曲」であり、静的画像が王菲のアバタである。
【０１２０】
【表１】
2017532582.tif 000003
【０１２１】
本開示の実施例において、取得要求に応じて静的カバーデータベースから対応するターゲットオーディオデータを取得し、その後当該ターゲットオーディオデータに基づいて当該ターゲットオーディオデータに関連付けられた静的画像を取得することができ、サーバが静的カバーデータベースに表１に示すオーディオ情報の形態で当該ターゲットオーディオデータを記憶する場合、当該ターゲットオーディオデータと同じオーディオ情報に位置する静的画像をターゲット静的画像とすることができる。実際の応用において、ターゲット静的画像の取得方法は、複数であってよく、例えば静的画像データベースを設定し、当該静的画像データベースにネットワークからランダムに取得されたオーディオ関連ピクチャーが記憶され、ロック画面の取得要求に応じて当該静的画像データベースから静的画像を取得することができ、前記オーディオデータと静的画像の対応関係を確立し、その後オーディオデータと静的画像をそれぞれ記憶し、ターゲットオーディオデータが確定された後、オーディオデータと静的画像の対応関係を検索し、ターゲットオーディオデータに対応するターゲット静的画像を取得することができ、本開示の実施例が例示的に説明するだけであるが、その他、実現形態は、本開示の実施例の保護範囲をカバーできると容易に考えられる。
【０１２２】
ステップ４０２３ａ、サーバは、ターゲットシーン情報に関連付けられた補助動的画像を取得する。
【０１２３】
図４−３は本開示の例示的な実施例によるターゲットシーンに関連付けられた補助動的画像を取得する方法のフローチャートであり、当該方法が以下のステップを含む。
【０１２４】
ステップ４０２３ａ１、サーバは、予め設定されたシーン情報と動的画像の関係を検索する。
【０１２５】
本開示の実施例において、サーバは、シーン情報と動的画像の関係を予め確立することができ、ここで、動的画像が動的ピクチャー、ビデオと動的表示情報のいずれかの一つを含むことができ、動的ピクチャーが画像交換フォーマット（英語：Ｇｒａｐｈｉｃｓ  Ｉｎｔｅｒｃｈａｎｇｅ  Ｆｏｒｍａｔ、ＧＩＦと略称される）ピクチャーであってよく、当該ピクチャーが画像処理ソフトウェア、例えばＰＳ（英語：Ｐｈｏｔｏｓｈｏｐ（登録商標））ソフトウェアを使用してビデオをＧＩＦピクチャーに変換したものであってよく、画像処理ソフトウェア、例えばＰＳソフトウェアまたはＡＥ（英語：Ａｄｏｂｅ  Ａｆｔｅｒ  Ｅｆｆｅｃｔｓ）ソフトウェアを使用していくつかの静的ピクチャーを１フレームずつ接続してＧＩＦピクチャーに作成したものであってよい。ビデオは、ａｖｉ、ｖｍｖ、ｒｍ、ｒｍｖｂ、３ｇｐ、ｍｐｇまたはｍｏｖなどのフォーマットのビデオであってよい。当該動的表示情報は、動的パラメータと静的ピクチャーを含むことができ、当該動的パラメータが静的ピクチャーの表示される時の表示パラメータの変化特性を指示することに用いられ、当該動的パラメータがピクチャーの解像度、画像位置、ディスプレイの走査周波数またはディスプレイのリフレッシュレートなどの表示パラメータの連続変化値であってよい。当該動的パラメータに基づいて静的ピクチャーの表示パラメータを調整することにより、静的ピクチャーが表示する時に動的表示の効果を達成することが可能となり、ユーザの目に動的画像を呈する。
【０１２６】
例えば、当該動的パラメータが画像位置の連続変化値であると仮定し、静的ピクチャーに草と雲の２つの画像があり、当該動的パラメータが、草の位置が端末の表示インターフェイスにゲートライン走査方向に沿って連続して変化し、雲の位置が端末の表示インターフェイスにゲートライン走査方向の逆方向に沿って連続して変化することを指示し、図４−４に示すように、図４−４は本開示の例示的な実施例による静的ピクチャーが連続して変化する表示図であり、図４−４が連続する３つの隣接する時点の同じ静的ピクチャーの表示図を例とし、２つの表示図あたりの表示時間間隔が所定時間であり、例えば当該所定時間が０．２秒であってよく、端末の表示インターフェイスに当該３つの表示図を速く周期的に表示すると、動的表示効果を達成できる。図４−４においてゲートライン走査方向が図における左から右への方向ｘである。
【０１２７】
動的表示情報を使用してオーディオカバーを表示することは、静的画像を動的に表示する方法だけであるが、実際の応用において様々なものがあり、例えば、本開示の実施例においてサーバは、動画技術を使用してオーディオカバー表示を行うように端末に指示することができる。動画技術は、表示インターフェイスに表示された画面または画面の一部を、一定のルールまたは要求に応じて表示インターフェイスに移動させる技術である。表示インターフェイス上の移動は、一般的に３つの方式があり、それぞれ位置が移動しなく、形態が変化すること、形態が変化しなく、位置が変化すること、位置と形態がいずれも変化することである。例えば、動画技術において、ピクチャーオブジェクト配列を使用して、一連の動作が連続する画像をメモリに格納して画像の高速変換を実現することができ、当該ピクチャーオブジェクト配列は、サーバによって端末に提供されることができ、実際のプロセスについて関連技術を参照できるので、本開示の実施例において説明を省略する。
【０１２８】
例えば、本開示の実施例によるシーン情報と動的画像の関係は、表２に示されることができる。１つの動的画像は、１つのシーン情報に対応することができ、例えば「草が揺れ動く」が「春」に対応することができる。１つの動的画像が複数のシーン情報に対応することもでき、例えば「雪が飛び舞う」がそれぞれ「冬」、「氷」および「雪」に対応することができる。各動的画像は、検索を容易にするために、それぞれに対応して一意の識別子が設定されることができ、例えば動的画像「草が揺れ動く」の識別子が００である。
【０１２９】
【表２】
2017532582.tif 000004
【０１３０】
ステップ４０２３ａ２、予め設定されたシーン情報と動的画像の関係に１つのターゲットシーン情報に関連付けられた動的画像が存在する場合、サーバは、ターゲットシーン情報に関連付けられた動的画像を補助動的画像とする。
【０１３１】
例えば、シーン情報が「春」であると仮定し、予め設定されたシーン情報と動的画像の関係が表１に示されと、１つの「春」に関連付けられた動的画像「草が揺れ動く」が存在する場合、「草が揺れ動く」を補助動的画像とする。
【０１３２】
ステップＳ４０２３ａ３、予め設定されたシーン情報と動的画像の関係に少なくとも２つのターゲットシーン情報に関連付けられた動的画像が存在する場合、サーバは、予め設定されたルールに従って少なくとも２つのターゲットシーン情報に関連付けられた動的画像から動的画像を補助動的画像として選択する。
【０１３３】
本開示の実施例において、予め設定されたルールは、複数であってよく、例えば、サーバが予め設定されたルールに従って少なくとも２つのシーン情報に関連付けられた動的画像から動的画像を補助動的画像として選択することは、少なくとも２つのターゲットシーン情報に関連付けられた動的画像から１つの動的画像を補助動的画像としてランダムに選択すること、または、少なくとも２つのターゲットシーン情報に関連付けられた動的画像から１つの出現回数の最も多い動的画像を補助動的画像として選択すること、または、少なくとも２つのターゲットシーン情報に関連付けられた動的画像を重ね合わせて補助動的画像を形成すること、またはユーザより当該少なくとも２つのターゲットシーン情報に関連付けられた動的画像から補助動的画像を選択することを含む。
【０１３４】
例えば、取得要求に応じて確定されたターゲットオーディオデータが「王菲のクラシック歌曲」である場合、表２を照合して確定されたシーン情報がそれぞれ「冬」、「氷」および「春」であり、シーン情報に関連付けられた動的画像がそれぞれ「雪が飛び舞う」、「雪が飛び舞う」と「草が揺れ動く」であると仮定するので、少なくとも２つのシーン情報に関連付けられた動的画像が存在し、予め設定されたルールに従って少なくとも２つのシーン情報に関連付けられた動的画像からシーン情報に関連付けられた動的画像を補助動的画像として選択することができる。例えば、予め設定されたルールが１つのシーン情報に関連付けられた動的画像をランダムに選択することであるので、「雪が飛び舞う」、「雪が飛び舞う」と「草が揺れ動く」から1つのターゲット動的画像を補助動的画像としてランダムに選択することができることであってよく、また、例えば、予め設定されたルールが１つの出現回数の最も多いターゲットシーン情報に関連付けられた動的画像を選択することであり、「雪が飛び舞う」が２回出現し、「草が揺れ動く」が１回出現するので、「雪が飛び舞う」、「雪が飛び舞う」と「草が揺れ動く」のうちに「雪が飛び舞う」を補助動的画像として選択することができる。
【０１３５】
例えば、図４−５に示すように、図４−５は一つの例示的な実施例によるユーザによって補助動的画像を選択する方法のフローチャートであり、当該方法が以下のステップを含む。
【０１３６】
ステップ００１、サーバは、端末へ少なくとも２つのターゲットシーン情報に関連付けられた動的画像を提供する。
【０１３７】
例えば、取得要求にオーディオ識別子が含まれると仮定し、取得要求におけるオーディオ識別子がオーディオの名称「光陰矢の如しの年」であり、「光陰矢の如しの年」の歌詞「冬眠を抱擁しても、羽化して成仙できない」、「その日が寒く、涙が滴下して氷となることを責めない」、「春風も同様に凝固する写真に吹き込んでいない」に基づいて、表２を照合して、シーン情報がそれぞれ「冬」、「氷」および「春」であり、シーン情報に関連付けられた動的画像がそれぞれ「雪が飛び舞う」、「雪が飛び舞う」と「草が揺れ動く」であると分かり、そのため少なくとも２つのシーン情報に関連付けられた動的画像が存在し、予め設定されたルールに従って少なくとも２つのシーン情報に関連付けられた動的画像から１つの動的画像を補助動的画像として選択することができる。サーバは、端末へ「雪が飛び舞う」と「草が揺れ動く」の２つの動的ピクチャーを提供することができる。
【０１３８】
ステップ００２、端末は、当該少なくとも２つのターゲットシーン情報に関連付けられた動的画像を表示する。
【０１３９】
例えば、「雪が飛び舞う」と「草が揺れ動く」の２つの動的ピクチャーを表示することができる。
【０１４０】
ステップ００３、端末は、ユーザが少なくとも２つのターゲットシーン情報に関連付けられた動的画像から選択した動的画像を受信する。
【０１４１】
ユーザが「雪が飛び舞う」と「草が揺れ動く」の２つの動的ピクチャーから「草が揺れ動く」という動的ピクチャーを選択すると仮定すると、端末は、これに対応してユーザの選択情報を受信する。
【０１４２】
ステップ００４、端末は、サーバへ選択命令を送信し、当該選択命令がユーザより選択された動的画像を含む。
【０１４３】
例えば、端末は、サーバへ選択命令を送信することができ、当該選択命令がユーザより選択された動的ピクチャー「草が揺れ動く」を含む。
【０１４４】
ステップ００５、サーバは、ユーザより選択された動的画像を補助動的画像とする。
【０１４５】
例えば、サーバは、ユーザより選択された「草が揺れ動く」という動的ピクチャーを補助動的画像とする。
【０１４６】
ステップ４０２４ａ、サーバは、補助動的画像を使用してターゲット静的画像を処理してターゲットカバー画像を取得する。
【０１４７】
図４−６は本開示の一つの例示的な実施例による補助動的画像を使用してターゲット静的画像を処理してターゲットカバー画像を取得する方法を示す図であり、図４−６に示すように、補助動的画像をターゲット静的画像に重ね合わせてターゲットカバー画像を取得することができる。例えば、補助動的画像が動的ピクチャーＮであり、当該動的ピクチャーＮが「雪が飛び舞う」の動的画像を表示し、ターゲット静的画像が静的ピクチャーＭであり、当該静的ピクチャーＭが王菲のアバタであると仮定し、ＮをＭに重ね合わせて動的ピクチャーＰ１を取得し、当該動的ピクチャーＰ１が王菲のアバタに雪が飛び舞うシーンを表示し、当該動的ピクチャーＰ１をターゲットカバー画像とする。
【０１４８】
図４−７は本開示の別の例示的な実施例による補助動的画像を使用して静的画像を処理して動的画像を取得する方法を示す図であってよく、図４−７に示すように、補助動的画像で静的画像を入れ替えて動的画像を取得する。例えば、補助動的画像が動的ピクチャーＮであり、当該動的ピクチャーＮが「雪が飛び舞う」の動的画像を表示し、静的画像が静的ピクチャーＭであり、当該静的ピクチャーＭが王菲のアバタであると仮定すると、Ｎを完全にＭにカバーして動的ピクチャーＰ２を取得することができ、ＮでＭを入れ替えて動的ピクチャーＰ２を取得することもでき、当該動的ピクチャーＰ２が「雪が飛び舞う」を表示し、それが動的ピクチャーＮの表示効果と同じであるので、当該動的ピクチャーＰ２を動的画像とする。
【０１４９】
図４−８は本開示の別の実施例による補助動的画像を使用してターゲット静的画像を処理してターゲットカバー画像を取得する方法を示す図であり、図４−８に示すように、補助動的画像をターゲット静的画像と組み合わせてターゲットカバー画像を取得する。例えば、補助動的画像が動的ピクチャーＮであり、当該動的ピクチャーＮが「雪が飛び舞う」の動的画像を表示し、ターゲット静的画像が静的ピクチャーＭであり、当該静的ピクチャーＭが王菲のアバタであると仮定し、ＮとＭを組み合わせて動的ピクチャーＰ３を取得することができ、例えば、ＮをＭの上に設定して動的ピクチャーＰ３を取得し、当該動的ピクチャーＰ３が同時に王菲のアバタと「雪が飛び舞う」を表示し、当該動的ピクチャＰ３をターゲットカバー画像とする。
【０１５０】
上述したように、本開示の実施例において、補助動的画像でターゲット静的画像を処理してターゲットカバー画像を取得し、補助動的画像がターゲットオーディオデータに関連付けられたシーン特徴を表現するターゲットシーン情報により確定されたものであるので、最終取得されたターゲットカバー画像は、ターゲットオーディオデータに関連付けられたシーン特徴を反映でき、オーディオカバーの表示形態を豊かにし、表示の興味性を増加させ、オーディオカバーのユーザに対する提示作用を添加する。さらに、当該ターゲットロック画面は、雨が滴れること、花弁が舞い落ちることまたは雪が降ること、ライトが点滅することなどの動的シーンをさらに含むことができ、オーディオカバーの表示をより文脈化にさせる。
【０１５１】
第二の実施可能形態において、取得要求は、ターゲットシーン情報を含み、当該ターゲットシーン情報が端末の存在する環境のシーン特徴を表現することに用いられることができ、当該ターゲットシーン情報が季節、地理的位置、地標、天気、気分と時間のうちの少なくとも一つを含むことができる。当該ターゲットシーン情報は、端末により取得されて当該取得要求に添加されるものである。
【０１５２】
例えば、端末は、端末にインストールされた、ターゲットシーン情報に関連付けられたアプリケーションによりターゲットシーン情報を確定することができ、例えば、季節と時間が端末にインストールされたタイミングモジュールまたはタイミングアプリケーションにより確定されることができ、天気が端末にインストールされた天気アプリケーションにより確定されることができる。または、端末は、シーン情報提示オプションを表示し、ユーザがシーン情報提示オプションから選択したターゲットシーン情報を受信し、例えば、端末は、シーン情報提示オプション、それぞれ季節、地理的位置、地標、天気、気分および時間オプションを表示し、ユーザが気分オプションを選択し、端末は、ユーザの気分オプションに対するトリガ命令を受信した後、気分オプションのサブオプション、例えば楽しい、悲しい、気がふさい、狂喜するなどのサブオプションを表示し、ユーザがサブオプションから楽しいサブオプションを選択し、端末は、ユーザの楽しいサブオプションに対するトリガ命令を受信した後、「楽しい」をターゲットシーン情報として確定し、または、端末は、シーン情報入力ボックスを表示し、ユーザがシーン情報入力ボックスに入力したターゲットシーン情報を受信し、例えば、端末が表示された情報入力ボックスにユーザより入力されたワード「楽しい」を受信した場合、「楽しい」をターゲットシーン情報として確定し、または、端末は、ターゲットシーン情報を確定する機能を備える機能サーバへ情報取得要求を送信し、機能サーバから送信されたターゲットシーン情報を受信し、当該機能サーバが図１におけるサーバ１１０と同じであってよく、それと異なってもよく、例えば、端末は、位置決め機能を備えるサーバ、例えば位置決めサーバへ地理的位置を取得するための情報取得要求を送信することができ、当該位置決めサーバによって端末を位置決め、そして確定された地理的位置をターゲットシーン情報として端末に送信する。
【０１５３】
さらに、前記地理的位置と地標は、端末にインストールされた地図アプリケーションにより確定されることができ、端末によってカメラでピクチャーを撮影し、ピクチャーを分析して確定されることもできる。本開示の実施例は、例示的な説明だけであるので、その他の容易に考えられる実施例も本開示の実施例の保護範囲に含まれるすべきであり、本開示の実施例において説明されない。
【０１５４】
図４−９に示すように、図４−９は、本開示の別の例示的な実施例による取得要求に応じてターゲットカバー画像を取得する方法のフローチャートであり、当該方法が以下のステップを含む。
【０１５５】
ステップ４０２１ｂ、サーバは、取得要求に応じてターゲット静的画像を取得する。
【０１５６】
実際の応用において、サーバは、オーディオ関連情報を記憶するための静的カバーデータベースを確立することができ、新規なオーディオ情報を取得するたびに、当該新規なオーディオ情報がオーディオデータと静的画像を含むことができ、関連技術において、静的画像を当該オーディオデータに対応するオーディオカバーとすることができるが、このような表示方式が比較的単一である。
【０１５７】
本開示の実施例において、取得要求に応じて静的カバーデータベースから対応するターゲットオーディオデータを取得することができ、当該取得プロセスについてステップ４０２１ａを参照することでき、その後当該ターゲットオーディオデータに基づいて当該ターゲットオーディオデータに関連する静的画像を取得し、サーバがカバーデータベースに表１に示すオーディオ情報の形態で当該ターゲットオーディオデータを記憶する場合、当該ターゲットオーディオデータと同じオーディオ情報に位置する静的画像をターゲット静的画像とすることができる。例えば、取得要求に応じてターゲットオーディオデータである「王菲のクラシック歌曲」を取得でき、当該ターゲットオーディオデータである「王菲のクラシック歌曲」に基づいて取得された静的画像は、王菲のアバタであってよい。
【０１５８】
ステップ４０２２ｂ、サーバは、ターゲットシーン情報に関連付けられた補助動的画像を取得する。
【０１５９】
図４−１０は本開示の一つの例示的な実施例によるターゲットシーン情報に関連付けられた補助動的画像を取得する方法のフローチャートであり、当該方法が以下のステップを含む。
【０１６０】
ステップ４０２２ｂ１、サーバは、予め設定されたシーン情報と動的画像の関係を検索する。
【０１６１】
本開示の実施例において、サーバが予め設定されたシーン情報と動的画像の関係を検索するプロセスについて上記の実施例におけるステップ４０２３ａ１を参照できる。
【０１６２】
ステップ４０２２ｂ２、予め設定されたシーン情報と動的画像の関係に１つのターゲットシーン情報に関連付けられた動的画像が存在する場合、サーバは、ターゲットシーン情報に関連付けられた動的画像を補助動的画像とする。
【０１６３】
例えば、シーン情報が「春」であり、予め設定されたシーン情報と動的画像の関係が表１に示すように、１つの「春」に関連付けられた動的画像「草が揺れ動く」が存在する場合、「草が揺れ動く」を補助動的画像とする。
【０１６４】
ステップ４０２２ｂ３、予め設定されたシーン情報と動的画像の関係に少なくとも２つのターゲットシーン情報に関連付けられた動的画像が存在する場合、サーバは、予め設定されたルールに従って少なくとも２つのターゲットシーン情報に関連付けられた動的画像にに動的画像を補助動的画像として選択する。
【０１６５】
例えば、取得要求のうちのターゲットシーン情報が「春」と「早朝」であり、表２を照合して、シーン情報に関連付けられた動的画像がそれぞれ「草が揺れ動く」と「霧がしとしとと降る」であると分かり、そのため少なくとも２つのシーン情報に関連付けられた動的画像が存在し、予め設定されたルールに従って少なくとも２つのシーン情報に関連付けられた動的画像にシーン情報に関連付けられた動的画像を補助動的画像として選択することができる。例えば、予め設定されたルールは、１つのターゲットシーン情報に関連付けられた動的画像をランダムに選択することであってよいので、「草が揺れ動く」と「霧がしとしとと降る」から１つの動的画像を補助動的画像としてランダムに選択することができ、また、予め設定されたルールがターゲットシーン情報に関連付けられた動的画像を重ね合わせて補助動的画像を形成することであってよいので、「草が揺れ動く」と「霧がしとしとと降る」を重ね合わせて補助動的画像とすることができる。
【０１６６】
サーバが予め設定されたルールに従って少なくとも２つのシーン情報に関連付けられた動的画像から動的画像を補助動的画像として選択するプロセスについて、前記ステップ４０２３ａ３の説明を参照することができ、前記図４−５に示すステップ００１−００５を参照することもできるので、本開示において説明を省略する。
【０１６７】
ステップ４０２３ｂ、サーバは、補助動的画像を使用してターゲット静的画像を処理してターゲットカバー画像を取得する。
【０１６８】
本開示の実施例において補助動的画像を使用してターゲット静的画像を処理してターゲットカバー画像を取得するプロセスについて図４−６、図４−７または図４−８に説明される前記ステップ４０２４ａのプロセスを参照することができ、即ち補助動的画像をターゲット静的画像に重ね合わせてターゲットカバー画像を取得すること、または、補助動的画像でターゲット静的画像を入れ替えてターゲットカバー画像を取得すること、または、補助動的画像をターゲット静的画像と組み合わせてターゲットカバー画像を取得することである。本開示の実施例において説明は、省略する。
【０１６９】
図４−９に取得要求に応じてターゲットカバー画像を取得する方法が提供され、そのステップの順番が調整されることができ、例えばステップ４０２１ｂは、ステップ４０２２ｂの後に位置することができ、本開示の実施例において限定されないと説明すべきである。
【０１７０】
ステップ４０２３ａまたはステップ４０２２ｂの前に、サーバは、まずにサーバにターゲットシーン情報に関連付けられた補助動的画像が記憶されているかどうかを判定し、次に判定結果に基づいてターゲットカバー画像取得プロセスを実行することができ、図４−１１に示すように、図４−１１が一つの例示的な実施例によるターゲットカバー画像取得方法のフローチャートである。
【０１７１】
ステップ０１１、サーバは、サーバにターゲットシーン情報に関連付けられた補助動的画像が記憶されているかどうかを判定する。サーバに補助動的画像が記憶される場合、ステップ０１２を実行し、サーバに補助動的画像が記憶されない場合、ステップ０１３を実行する。
【０１７２】
ステップ０１２、サーバは、ターゲットシーン情報に関連付けられた補助動的画像を取得する。
【０１７３】
当該ステップ０１２は、前記ステップ４０２３ａまたはステップ４０２２ｂであってよく、その具体的なプロセスについてステップ４０２３ａまたはステップ４０２１ｂを参照することができる。サーバは、ターゲットシーン情報に関連付けられた補助動的画像を取得した後、ステップ４０２４ａまたは４０２３ｂのような後のステップを実行できる。
【０１７４】
ステップ０１３、サーバは、ターゲットオーディオデータに基づいて取得されたターゲット静的画像をターゲットカバー画像とする。
【０１７５】
サーバに補助動的画像が記憶されない場合、サーバは、ターゲット静的画像を処理できなく、直接静的画像をターゲットカバー画像とすることができる。サーバがターゲットオーディオデータに基づいてターゲット静的画像を取得するプロセスについて関連技術を参照することができるので、本開示において説明を省略する。
【０１７６】
上述したように、本開示の実施例において、補助動的画像でターゲット静的画像を処理してターゲットカバー画像を取得するが、補助動的画像が端末の存在する環境のシーン特徴を表現するターゲットシーン情報により確定されたものであるので、最終取得されるターゲットカバー画像は、端末の存在する環境のシーン特徴を反映でき、オーディオカバーの表示形態を豊かにし、表示の興味性を増加し、オーディオカバーのユーザに対する提示作用を添加する。例えば、ターゲットシーン情報が季節を含み、指示される季節が冬である場合、ターゲットカバー画像に「雪が飛び舞う」の動的画像が表示されることができる。ターゲットシーン情報が天気を含み、指示される天気が豪雨である場合、ターゲットカバー画像に「雨がダウン注ぐ」の動的画像が表示されることができ、ターゲットシーン情報が地標を含み、指示される地標が１杯のコーヒーである場合、ターゲットカバー画像にコーヒーから湯気が出ていることが表示されることができ、ターゲットシーン情報が地理的位置を含み、当該地理的位置が海である場合、ターゲットカバー画像に波立てた海水が表示されることができる。
【０１７７】
第二の方面、サーバは、取得要求に応じて予め設定されたカバーデータベースを検索してターゲットカバー画像を取得することができる。
【０１７８】
図４−１２は本開示の別の例示的な実施例による取得要求に応じてターゲットカバー画像を取得する方法のフローチャートであり、図４−１２に示すように、当該方法が以下のステップを含む。
【０１７９】
ステップ４０２１ｃ、サーバは、動的カバーデータベースを確立する。
【０１８０】
本開示の実施例において、カバーデータベースは、動的カバーデータベースを含むことができ、静的カバーデータベースを含むこともでき、その中のいずれかのカバーデータベースがオーディオ情報を記憶することに用いられ、各オーディオ情報がオーディオデータとオーディオカバーを含むことができ、動的カバーデータベースに記憶されたオーディオカバーが動的画像であってよく、静的カバーデータベースに記憶されたオーディオカバーが静的画像であってよい。当該オーディオデータは、オーディオの記述情報、オーディオの再生データなどを含むことができ、当該オーディオの記述情報が当該オーディオの関連情報、例えば名称、歌詞およびソースなどを含むことができ、テキストフォーマット、例えばｔｘｔフォーマットであってよく、オーディオの再生データが実際のオーディオであり、オーディオフォーマット、例えばＷＡＶ、ｍｐ３などのフォーマットであってよい。当該オーディオの再生データが少なくとも１つのオーディオを含むことができ、一般的に複数のオーディオの集合であり、オーディオの再生データが複数のオーディオの集合である場合、オーディオの記述情報が当該複数のオーディオの集合の全体記述情報であってよく、各オーディオの記述情報であってもよく、本開示の実施例において説明されなく、静的画像が一般的に予め設定された静的ピクチャーである。例えば、静的カバーデータベースに記憶されたオーディオ情報が樂曲リスト情報である場合、各オーディオ情報は、樂曲リストデータと静的画像を含むことができ、当該樂曲リストデータが樂曲リストの記述情報、樂曲リストの再生データなどを含むことができ、樂曲リストの記述情報が当該樂曲リストの関連情報、例えば名称、代表的な歌詞およびソースなどを含むことができ、樂曲リストの再生データが樂曲リストにおける各樂曲のオーディオを含み、複数のオーディオの集合である。例えば、樂曲リストの記述情報が「１人あたりの１首の有名な曲」、「７月７日に晴れ、空は突然雨が降ってきた……」であってよく、「ｘｘ音楽」に由来し、ここで、「ｘｘ音楽」が「１人あたりの１首の有名になる曲」を提供するオーディオ再生アプリケーションに対応するサーバ名称である。例えば、識別子が１００であるオーディオ情報に対応するオーディオデータは「王菲のクラシック歌曲」の記述情報、「王菲のクラシック歌曲」の再生データなどを含むことができ、当該記述情報が「王菲のクラシック歌曲が心の感動を喚起でき、たまに湖水のように静謐であり、たまに空のように紺碧である」であってよく、「ｘｘ音楽」に由来し、「ｘｘ音楽」が「王菲のクラシック歌曲」を提供するターゲットオーディオデータのオーディオ再生アプリケーションに対応するサーバ名称である。
【０１８１】
ステップ４０２２ｃ、サーバは、動的カバーデータベースを更新する。
【０１８２】
サーバが新規なオーディオ情報を取得した場合、動的カバーデータベースの更新を行う必要があり、サーバが動的カバーデータベースを更新する方式が複数であってよく、本開示の実施例において以下の２つを例にする。
【０１８３】
第一の実施可能形態において、図４−１３に示すように、図４−１３は本開示の一つの例示的な実施例による動的カバーデータベースを更新する方法のフローチャートであり、当該方法が以下のステップを含む。
【０１８４】
ステップ４０２２ｃ1、サーバは、新規なオーディオ情報を受信し、当該新規なオーディオ情報がオーディオデータと静的画像を含む。
【０１８５】
例えば、カバーデータベースに記憶されたオーディオ情報が表３に示すように、各オーディオ情報がオーディオデータと動的画像を含むことができ、動的画像が予め設定された静的画像に基づいて処理されたものである。各オーディオ情報は、検索を容易にするために、一意の識別子が設定されることができ、各動的画像も検索を容易にするために、一意の識別子が設定されることができるが、これが表３に示されない。例えば、表３に示すように、識別子１０１のオーディオ情報に含まれるオーディオデータがオーディオ集合「謝霆鋒のクラシック歌曲」であり、動的画像が謝霆鋒のアバタである。
【０１８６】
【表３】
2017532582.tif 000005
【０１８７】
新規なオーディオ情報は、サーバ管理者がコンピュータなどのバックグラウンド端末によりサーバにアップロードされることができ、サーバ管理者がサーバの入力モジュール（例えば入出力インターフェイス）によりサーバに入力されることができる。当該新規なオーディオ情報は、オーディオデータと静的画像を含むことができ、サーバは、まず当該オーディオ情報を動的カバーデータベースに記憶し、次に当該静的画像を処理して動的画像を取得する必要があり、最後に動的画像で当該動的カバーデータベースに更新することができる。サーバは、まず当該オーディオ情報を静的カバーデータベースに記憶し、次に当該静的画像を処理して動的画像を取得する必要があり、最後に動的画像の存在する新規なオーディオ情報を当該動的カバーデータベースに記憶することもできる。例えば、当該新規なオーディオ情報の識別子が１００であると仮定すると、オーディオデータである「王菲のクラシック歌曲」と静的画像である王菲のアバタを含むことができる。サーバは、当該静的画像を処理して動的画像を取得した後、オーディオデータと当該動的画像が含まれるオーディオ情報をデータベースに記憶することもできる。
【０１８８】
ステップ４０２２ｃ２、サーバは、オーディオデータに基づいてシーン情報を確定し、当該シーン情報がオーディオデータに関連付けられたシーン特徴を表現することに用いられる。
【０１８９】
本開示の実施例において、前記シーン情報は、当該新規なオーディオデータに関連付けられたシーン特徴を表現することに用いられ、これらのシーン特徴が当該新規なオーディオデータのいくつかの特徴を表現できる。例えば、当該シーン情報は、季節、地理的位置、地標、天気、気分と時間のうちの少なくとも一つを含むことができる。その中、季節は、春、夏、秋および冬などを含むことができる。地理的位置は、北京、上海などの人工的に区画された地域、または海、湖、草原などの特徴を持つ自然地域を含むことができる。地標は、東洋の真珠、氷、雪、月、星などのオブジェクトを含むことができる。天気は、突風、豪雨、霧、霧雨などの天気を含むことができる。気分は、楽しい、悲しいなどであってよい。時間は、早朝、夕方などを含むことができる。本開示の実施例がこれに対して例示的に説明するだけであるので、本開示の実施例の他の実施形態も本開示の実施例の保護範囲に含まれるべきであると容易に考えられる。
【０１９０】
ステップ４０２２ｃ３、サーバは、シーン情報に関連付けられた補助動的画像を確定する。
【０１９１】
本開示の実施例において、サーバがシーン情報に関連付けられた補助動的画像を確定するプロセスについて、前記実施例における図４−３に示すステップ４０２３ａのプロセスを参照することができるので、本開示の実施例において説明を省略する。
【０１９２】
ステップ４０２２ｃ４、サーバは、補助動的画像を使用して静的画像を処理して動的画像を取得する。
【０１９３】
本開示の実施例において、一方では、補助動的画像を静的画像に重ね合わせて動的画像を取得することができ、他方では、補助動的画像で静的画像を入れ替えて動的画像を取得することができ、他方では、補助動的画像を使用してターゲット静的画像を処理して動的画像を取得することができる。
【０１９４】
図４−６を参照し、当該図４−６は本開示の一つの例示的な実施例による補助動的画像を使用して静的画像を処理して動的画像を取得する方法を示す図であり、図４−６に示すように、補助動的画像を静的画像に重ね合わせて動的画像を取得することができる。例えば、補助動的画像が動的ピクチャーＮであり、当該動的ピクチャーＮが「雪が飛び舞う」の動的画像を表示し、静的画像が静的ピクチャーＭであり、当該静的ピクチャーＭが王菲のアバタであると仮定すると、ＮをＭに重ね合わせて動的ピクチャーＰ１を取得し、当該動的ピクチャーＰ１が王菲のアバタに雪が飛び舞うシーンを表示し、当該動的ピクチャーＰ１をターゲットカバー画像とする。
【０１９５】
図４−７を参照し、図４−７は本開示の別の例示的な実施例による補助動的画像を使用して静的画像を処理して動的画像を取得する方法を示す図であってよく、図４−７に示すように、補助動的画像で静的画像を入れ替えて動的画像を取得する。例えば、補助動的画像が動的ピクチャーＮであり、当該動的ピクチャーＮが「雪が飛び舞う」の動的画像を表示し、静的画像が静的ピクチャーＭであり、当該静的ピクチャーＭが王菲のアバタであると仮定すると、Ｎを完全にＭにカバーして動的ピクチャーＰ２を取得することができ、ＮでＭを入れ替えて動的ピクチャーＰ２を取得することができ、当該動的ピクチャーＰ２が「雪が飛び舞う」を表示し、それが動的ピクチャーＮの表示効果と同じであるので、当該動的ピクチャーＰ２をターゲットカバー画像とする。
【０１９６】
図４−８は本開示の別の実施例による補助動的画像を使用してターゲット静的画像を処理してターゲットカバー画像を取得する方法を示す図であり、図４−８に示すように、補助動的画像をターゲット静的画像と組み合わせて動的画像を取得する。例えば、補助動的画像が動的ピクチャーＮであり、当該動的ピクチャーＮが「雪が飛び舞う」の動的画像を表示し、ターゲット静的画像が静的ピクチャーＭであり、当該静的ピクチャーＭが王菲のアバタであると仮定すると、ＮをＭと組み合わせて動的ピクチャーＰ３を取得することができ、例えば、ＮをＭの上に設定して動的ピクチャーＰ３を取得し、当該動的ピクチャーＰ３が同時に王菲のアバタと「雪が飛び舞う」を表示し、当該動的ピクチャＰ３を動的画像とする。
【０１９７】
ステップ４０２２ｃ５、サーバは、動的画像を使用して新規なオーディオ情報を更新し、更新されたオーディオを取得し、更新されたオーディオ情報がオーディオデータと動的画像を含む。
【０１９８】
例えば、動的画像が王菲のアバタに雪が飛び舞うシーンがあるのを表示する場合、当該動的画像を使用して新規なオーディオ情報のうちの王菲のアバタを更新し、更新されたオーディオ情報を取得し、当該更新されたオーディオ情報に当該動的画像が含まれる。
【０１９９】
ステップ４０２２ｃ６、サーバは、更新されたオーディオ情報を予め設定された動的カバーデータベースに記憶し、予め設定された動的カバーデータベースに記録されたオーディオ情報に動的画像が含まれる。
【０２００】
例えば、更新されたオーディオ情報を記憶するカバーデータベースが表４に示されることができ、新規なオーディオ情報の識別子が１００であり、オーディオデータ即ちオーディオ集合である「王菲のクラシック歌曲」と動的画像である王菲のアバタに雪が飛び舞うことを含むことができる。
【０２０１】
【表４】
2017532582.tif 000006
【０２０２】
第二の実施可能形態において、図４−１４に示すように、図４−１４は本開示の一つの例示的な実施例による別の動的カバーデータベースを更新する方法のフローチャートであり、当該方法が以下のステップを含む。
【０２０３】
ステップ４０２２ｃ７、サーバーは、新規なオーディオ情報を受信し、当該新規なオーディオ情報が動的画像を含む。
【０２０４】
新規なオーディオ情報は、サーバ管理者がコンピュータなどのバックグラウンド端末によりサーバにアップロードされることができ、サーバ管理者がサーバの入力モジュールによりサーバに入力されることができる。当該新規なオーディオ情報は、オーディオデータと動的画像を含むことができ、動的画像のみを含むこともでき、本開示の実施例において限定されない。
【０２０５】
ステップ４０２２ｃ８、サーバは、新規なオーディオ情報を予め設定された動的カバーデータベースに記憶し、当該予め設定された動的カバーデータベースに記録されたオーディオ情報に動的画像が含まれる。
【０２０６】
当該予め設定された動的カバーデータベースに記憶されたオーディオ情報が表３に示すように、各オーディオ情報がオーディオデータと動的画像を含むことができ、動的画像が予め設定された静的画像に基づいて処理されたものである。各オーディオ情報は、検索を容易にするために一意の識別子が設定されることができ、各動的画像も検索を容易にするために、一意の識別子が設定されることができ、これが表３に示されない。例えば、表３に示すように、識別子１０１のオーディオ情報に含まれるオーディオデータがオーディオ集合である「謝霆鋒のクラシック歌曲」であり、動的画像が謝霆鋒のアバタである。当該予め設定されたカバーデータベースに記憶された各オーディオ情報は、動的画像のみを含むこともでき、本開示の実施例において限定されない。
【０２０７】
ステップ４０２３ｃ、サーバは、取得要求に応じてターゲットオーディオデータを確定する。
【０２０８】
サーバが取得要求に応じてターゲットオーディオデータを確定するプロセスについてステップ４０２１ａを参照することができるので、本開示の実施例において説明を省略する。
【０２０９】
ステップ４０２４ｃ、サーバは、動的カバーデータベースに取得されたターゲットオーディオデータに対応する動的画像をターゲットカバー画像とする。
【０２１０】
当該カバーデータベースは、オーディオ情報を記録することに用いられ、各オーディオ情報がオーディオデータと動的画像を含む。予め設定された動的カバーデータベースに記録された情報が表３に示すように、ターゲットオーディオデータと同じオーディオ情報に位置する動的画像をターゲットオーディオデータに対応する動的画像とすることができる。当該動的カバーデータベースは、オーディオ情報を記録することに用いられ、各オーディオ情報がオーディオデータと動的画像を含むことができる。当該動的画像は、動的ピクチャー、ビデオと動的表示情報のいずれかの一つを含み、動的表示情報が動的パラメータと静的ピクチャーを含み、動的パラメータが静的ピクチャーの表示される時の表示パラメータの変化特性を指示することに用いられる。
【０２１１】
また、ステップ４０４において、ターゲットカバー画像の内容に基づいて当該ターゲットカバー画像を表示することができる。例えば、図４−１５に示すように、図４−１５は本開示の一つの例示的な実施例によるターゲットカバー画像を表示する方法のフローチャートであり、当該方法が以下のステップを含む。
【０２１２】
ステップ４０４１、端末は、ターゲットカバー画像の内容を検出する。
【０２１３】
ステップ４０４２、ターゲットカバー画像が動的表示情報を含む場合、端末は、当該静的ピクチャーを表示し、かつ動的パラメータに基づいて静的ピクチャーの表示される時の表示パラメータの特性を変更する。
【０２１４】
当該動的表示情報は、動的パラメータと静的ピクチャーを含むことができ、当該動的パラメータが静的ピクチャーの表示される時の表示パラメータの変化特性を指示することに用いられ、当該動的パラメータがピクチャー解像度、画像位置、ディスプレイの走査周波数またはディスプレイのリフレッシュレートなどの表示パラメータの連続変化値であってよい。当該動的パラメータに基づいて静的ピクチャーの表示パラメータを調整することにより、静的ピクチャーが表示する時に動的表示効果を達成することが可能となり、ユーザの目に動的画像を呈する。例えば、当該動的パラメータが画像位置の連続変化値であると仮定すると、静的ピクチャーに草と雲の２つの画像があり、当該動的パラメータが、草の位置が端末の表示インターフェイスにゲートライン走査方向に沿って連続して変化し、雲の位置が端末の表示インターフェイスにゲートライン走査方向の逆方向に沿って連続して変化することを指示し、図４−４に示すように、図４−４は本開示の例示的な実施例による静的ピクチャーが連続して変化する表示図であり、図４−４が連続する３つの隣接する時点の同じ静的ピクチャーの表示図を例とし、２つの表示図あたりの表示時間間隔が所定時間であり、例えば当該所定時間が０．２秒であってよく、端末の表示インターフェイスに当該３つの表示図を速く表示すると、動的表示効果を達成できる。図４−４においてゲートライン走査方向が図における左から右への方向ｘである。
【０２１５】
したがって、ターゲットカバー画像が動的表示情報を含む場合、端末は、動的パラメータによって指示されたパラメータ値で当該静的ピクチャーを表示し、当該静的ピクチャーに動的表示の効果を達成させる。例えば、当該動的パラメータがディスプレイの走査周波数の連続変化値であり、静的ピクチャーに複数の星画像が含まれる場合、端末は、当該動的パラメータに基づいてディスプレイの表示インターフェイスの走査周波数を調整し、星が煌く動的表示効果を達成することができる。
【０２１６】
動的表示情報を使用してオーディオカバーを表示することは静的画像を動的に表示する方法だけであるが、実際の応用において様々なものがあり、例えば、本開示の実施例において端末は、サーバの指示に応じて動画技術を使用してオーディオカバー表示を行うと説明すべきである。動画技術は、表示インターフェイスに表示された画面または画面の一部を一定のルールまたは要求に従って表示インターフェイスに移動する技術である。表示インターフェイス上の移動は一般的に３つの方式があり、それぞれ位置が移動しなく、形態が変化すること、形態が変化しなく、位置が変化すること、位置と形態がいずれも変化することである。例えば、動画技術において、ピクチャーオブジェクト配列を使用して、一連の動作が連続する画像をメモリに格納して画像の迅速交換を実現することができ、当該ピクチャーオブジェクト配列は、サーバによって端末に提供されることができ、実際のプロセスについて関連技術を参照できるので、本開示の実施例において説明を省略する。
【０２１７】
ステップ４０４３、ターゲットカバー画像が動的ピクチャーを含む場合、端末は、当該動的ピクチャーを表示する。
【０２１８】
本開示の実施例において、当該動的ピクチャーは、ＧＩＦピクチャーであってよく、ＧＩＦピクチャーにより占有された記憶空間が小さく、静的ピクチャーとほとんど同じであり、記憶される場合にメモリに対する占有を低減でき、同時に端末がサーバから当該ターゲットカバー画像を取得する場合のトラフィック消費量を減少させる。
【０２１９】
ステップ４０４４、ターゲットカバー画像がビデオを含む場合、端末は、当該ビデオを表示する。
【０２２０】
各取得要求に応じる取得するターゲットカバー画像は、複数枚であるかもしれなく、各枚が動的画像であってよく、静的画像でってもよく、図４−１６は一つの例示的な実施例による動的カバー画像表示の効果図であると説明すべきである。取得要求が「精選された樂曲リスト」の存在するインターフェイスのターゲットカバー画像を要求することに用いられ、ターゲットシーン情報を含み、且つ当該ターゲットシーン情報が天気を含み、指示された天気が小雨であると仮定すると、最終取得されたターゲットカバー画像が図４−１６に示され、図４−１６に当該「精選された樂曲リスト」の存在するインターフェイスの動的オーディオカバーが表示する効果図を示し、当該インターフェイスに４枚のターゲットカバー画像が表示され、それぞれ「王菲のクラシック歌曲」、「1度の言ったかと思うと、すぐに立ち去る旅行」、「子供の心を偲ぶ」と「１人あたりの１首の有名な曲」であり、各カバー画像に「小雨が落ちる」の動的画像が重ねて表示され、かつ当該動的画像に雨がスクリーンに打って、スクリーンに沿って流れるというシーンが表示されることができ、ユーザが端末のスクリーンに水が滴下することを感じるようにし、そのため、カバー画像は、端末の存在する位置の天気が雨であることを反映でき、ユーザに対して提示作用を果たし、且つカバー画像表示の興味性を増加させる。オーディオカバーが表示される場合、動的カバー画像は、カバー表示インターフェイス１６０の画像表示領域１６０１に位置することができ、端末のカバー表示インターフェイスの他の領域（例えば文字表示領域またはボタン表示領域）の表示形態が関連技術と同じであり、例えば端末が当該他の領域にオーディオカバーの関連情報を表示することができ、例えば文字表示領域にオーディオカバー説明などを表示し、ボタン表示領域にいくつかのオーディオボタン、例えば再生ボタンなどを表示すると説明すべきである。
【０２２１】
また、ターゲットカバー画像を表示するプロセスにおいて可変ロックスクリーンまたは可変フレームワークを使用して動的カバー画像の表示を調整することができる。
【０２２２】
ステップ４０２３ｃの前に、まず動的カバーデータベースにターゲットオーディオデータに対応する動的カバー画像が記憶されるかどうかを判定し、次に判定結果に基づいて動的カバー画像取得プロセスを実行することができ、図４−１７に示すように、図４−１７が一つの例示的な実施例によるターゲットカバー画像取得方法のフローチャートであると説明すべきである。
【０２２３】
ステップ０２１、サーバは、動的カバーデータベースにターゲットオーディオデータに対応する動的画像が記憶されるかどうかを判定する。動的カバーデータベースにターゲットオーディオデータに対応する動的画像が記憶される場合、ステップ０２２を実行し、動的カバーデータベースにターゲットオーディオデータに対応する動的画像が記憶されない場合、ステップ０２３を実行する。
【０２２４】
ステップ０２２、サーバは、動的カバーデータベースに取得されたターゲットオーディオデータに対応する動的画像をターゲットカバー画像とする。
【０２２５】
ステップ０２２は、前記ステップ４０２４ｃと同じであり、前記ステップ４０２４ｃのプロセスを参照することができるので、本開示の実施例において説明を省略する。
【０２２６】
ステップ０２３、サーバは、ターゲットオーディオデータに基づいて取得されたターゲット静的画像をターゲットカバー画像とする。
【０２２７】
サーバがターゲットオーディオデータに基づいて取得されたターゲット静的画像をターゲットカバー画像とすることは、関連技術を参照することができるので、本開示の実施例において説明を省略する。
【０２２８】
さらに、当該ターゲットカバー画像が動的カバー画像であり、かつ補助動的画像をターゲット静的画像に重ねて取得されたものであり、図４−１８が一つの例示的な実施例によるカバー画像表示方法のフローチャートである。図４−１８に示すように、本開示の実施例によるカバー画像表示方法は、以下のステップをさらに含むことができる。
【０２２９】
ステップ０３１、サーバは、表示パラメータを端末に送信する。
【０２３０】
表示パラメータは、透明度、解像度、画像位置のうちの少なくとも一つを含む。その中、透明度は、画像の透明程度を意味でき、元の画像と無色透明のステージを１００分に分割すると、透明度は、パーセンテージで表されることができる。解像度は、表示解像度と画像解像度の２つの方向から分類されることができ、表示解像度（画面解像度とも呼ばれる）が画面イメージの精密度であり、ディスプレイで表示可能な画素数を意味し、画像解像度がインチあたりの画素点数を意味している。画像位置は、画像の表示される時のディスプレイでの座標位置であってよい。
【０２３１】
ステップ０３２、端末は、表示パラメータに基づいて補助動的画像の表示される時の特性を設定する。
【０２３２】
図４−１６に示すように、図４−１６におけるターゲットカバー画像Ｔが補助動的画像である「小雨が落ちる」をターゲット静的画像である王菲のアバタに重ねて取得されたものであると仮定し、表示パラメータが透明度５０％を含むと仮定すると、端末は、表示パラメータに基づいて補助動的画像の表示される時の透明度を５０％に設定し、端末が図４−１６に示すターゲットカバー画像Ｔを表示する場合、「小雨が落ちる」の透明度が５０％である。
【０２３３】
本開示の実施例によるオーディオカバー表示方法のステップの順番は、適切に調整されてよく、状況に応じて対応して増減されてもよく、本技術分野に精通するいかなる当業者が本開示の実施例に開示される技術範囲で、変化する方法がすべて本開示の実施例の保護範囲に含まれるべきであることを容易に考えることができ、したがって説明を省略すると説明すべきである。
【０２３４】
上述したように、本開示の実施例によるオーディオカバー表示方法において、サーバが端末から送信された取得要求に応じてターゲットカバー画像を取得し、端末へ当該ターゲットカバー画像を提供し、そして端末によって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【０２３５】
図５−１が一つの例示的な実施例によるオーディオカバー表示装置のブロック図であり、図１に示すサーバ１１０に用いられることができ、図５−１に示すように、当該装置は、
端末から送信された、ターゲットカバー画像を要求するための取得要求を受信するように構成される受信モジュール５０１と、
取得要求に応じてターゲットカバー画像を取得するように構成され、ターゲットカバー画像がオーディオに対応する動的カバー画像及び静的カバー画像のうちの少なくとも一つを含む取得モジュール５０２と、
ターゲットカバー画像を送信するように構成され、端末がターゲットカバー画像を表示するように構成される第一の送信モジュール５０３とを含む。
【０２３６】
上述したように、本開示の実施例によるオーディオカバー表示装置において、取得モジュールが端末から送信された取得要求に応じてターゲットカバー画像を取得し、そして送信モジュールによって端末へ当該ターゲットカバー画像を提供し、端末によって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【０２３７】
一方では、図５−２が一つの例示的な実施例による取得モジュール５０２のブロック図であり、図５−２に示すように、当該取得モジュール５０２は、
取得要求に応じてターゲットオーディオデータを確定するように構成されるデータ取得サブモジュール５０２１と、
ターゲットオーディオデータに基づいてターゲットシーン情報とターゲット静的画像を確定するように構成され、ターゲットシーン情報がターゲットオーディオデータに関連付けられたシーン特徴を表現することに用いられる確定サブモジュール５０２２と、
ターゲットシーン情報に関連付けられた補助動的画像を取得するように構成される画像取得サブモジュール５０２３と、
補助動的画像を使用してターゲット静的画像を処理してターゲットカバー画像を取得するように構成される処理サブモジュール５０２４とを含む。
【０２３８】
他方では、取得要求は、ターゲットシーン情報を含み、ターゲットシーン情報が端末の存在する環境のシーン特徴を表現することに用いられる。図５−３が一つの例示的な実施例による取得モジュール５０２のブロック図であり、図５−３に示すように、当該取得モジュール５０２は、
取得要求に応じてターゲット静的画像を取得するように構成される確定サブモジュール５０２２と、
ターゲットシーン情報に関連付けられた補助動的画像を取得するように構成される画像取得サブモジュール５０２３と、
補助動的画像を使用してターゲット静的画像を処理してターゲットカバー画像を取得するように構成される処理サブモジュール５０２４とを含む。
【０２３９】
図５−４が一つの例示的な実施例による画像取得サブモジュール５０２３のブロック図であり、図５−４に示すように、当該画像取得サブモジュール５０２３は、
予め設定されたシーン情報と動的画像の関係を検索するように構成される検索サブモジュール５０２３１と、
予め設定されたシーン情報と動的画像の関係に１つのターゲットシーン情報に関連付けられた動的画像が存在する場合、ターゲットシーン情報に関連付けられた動的画像を補助動的画像とするように構成される確定サブモジュール５０２３２と、
予め設定されたシーン情報と動的画像の関係に少なくとも２つのターゲットシーン情報に関連付けられた動的画像が存在する場合、予め設定されたルールに従って少なくとも２つのターゲットシーン情報に関連付けられた動的画像から動的画像を補助動的画像として選択するように構成される選択サブモジュール５０２３３とを含む。
【０２４０】
ここで、選択サブモジュール５０２３３は、
少なくとも２つのターゲットシーン情報に関連付けられた動的画像から１つの動的画像を補助動的画像としてランダムに選択するように構成される、
または、少なくとも２つのターゲットシーン情報に関連付けられた動的画像から１つの出現回数の最も多い動的画像を補助動的画像として選択するように構成される、
または、少なくとも２つのターゲットシーン情報に関連付けられた動的画像を重ねて補助動的画像を形成するように構成される、
または、端末へ少なくとも２つのターゲットシーン情報に関連付けられた動的画像を提供し、端末から送信された選択命令を受信し、選択命令が、ユーザが少なくとも２つのターゲットシーン情報に関連付けられた動的画像から選択した動的画像を指示することに用いられ、ユーザより選択された動的画像を補助動的画像とするように構成される。
【０２４１】
また、ターゲットシーン情報は、季節、地理的位置、地標、天気、気分と時間のうちの少なくとも一つを含む。
【０２４２】
処理サブモジュール５０２４は、
補助動的画像をターゲット静的画像に重ねてターゲットカバー画像を取得するように構成される、
または、補助動的画像でターゲット静的画像を入れ替えてターゲットカバー画像を取得するように構成される、
または、補助動的画像をターゲット静的画像と組み合わせてターゲットカバー画像を取得するように構成される。
【０２４３】
図５−５が一つの例示的な実施例による別のオーディオカバー表示装置のブロック図であり、図１に示すサーバ１１０に用いられ、図５−５に示すように、当該装置は、
サーバにターゲットシーン情報に関連付けられた補助動的画像が記憶されるかどうかを判定するように構成される第一の判定モジュール５０４と、
サーバに補助動的画像が記憶されない場合、取得要求に応じて取得されたターゲット静的画像をターゲットカバー画像とするように構成される第一の確定モジュール５０５とをさらに含む。
【０２４４】
また、取得モジュール５０２は、取得要求に応じてターゲットオーディオデータを確定し、
予め設定された動的カバーデータベースに取得されたターゲットオーディオデータに対応する動的画像をターゲットカバー画像とし、動的カバーデータがオーディオ情報を記録することに用いられ、各オーディオ情報がオーディオデータと動的画像を含むように構成される。
【０２４５】
図５−６が一つの例示的な実施例による別のオーディオカバー表示装置のブロック図であり、図１に示すサーバ１１０に用いられることができ、図５−６に示すように、当該装置は、
動的カバーデータベースにターゲットオーディオデータに対応する動的画像が記憶されるかどうかを判定するように構成される第二の判定モジュール５０６と、
動的カバーデータベースにターゲットオーディオデータに対応する動的画像が記憶されない場合、取得要求に応じて取得されたターゲット静的画像をターゲットカバー画像とするように構成されう第二の確定モジュール５０７とをさらに含む。
【０２４６】
図５−７が一つの例示的な実施例による別のオーディオカバー表示装置のブロック図であり、図１に示すサーバ１１０に用いられることができ、図５−７に示すように、当該装置は、
新規なオーディオ情報を受信するように構成され、新規なオーディオ情報がオーディオデータと静的画像を含む第一の情報受信モジュール５０８と、
オーディオデータに基づいてシーン情報を確定するように構成され、シーン情報がオーディオデータに関連付けられたシーン特徴を表現することに用いられる情報確定モジュール５０９と、
シーン情報に関連付けられた補助動的画像を確定するように構成される画像確定モジュール５１０と、
補助動的画像を使用して静的画像を処理して動的画像を取得するように構成される処理モジュール５１１と、
動的画像を使用して新規なオーディオ情報を更新して更新されたオーディオ情報を取得するように構成され、更新されたオーディオ情報がオーディオデータと動的画像を含む更新モジュール５１２と、
更新されたオーディオ情報を予め設定された動的カバーデータベースに記憶するように構成され、予め設定された動的カバーデータベースに記録されたオーディオ情報に動的画像が含まれる第一の記憶モジュール５１３とをさらに含む。
【０２４７】
図５−８が別の例示的な実施例によるオーディオカバー表示装置のブロック図であり、図１に示すサーバ１１０に用いられることに用いられ、図５−８に示すように、当該装置は、
新規なオーディオ情報を受信するように構成され、新規なオーディオ情報が動的画像を含む第二の情報受信モジュール５１４と、
新規なオーディオ情報を予め設定された動的カバーデータベースに記憶するように構成され、予め設定された動的カバーデータベースに記録されたオーディオ情報に動的画像が含まれる第二の記憶モジュール５１５とをさらに含む。
【０２４８】
また、ターゲットカバー画像が補助動的画像をターゲット静的画像に重ねて取得されたものであり、図５−９が別の例示的な実施例によるオーディオカバー表示装置のブロック図であり、図１に示すサーバ１１０に用いられることができ、図５−９に示すように、当該装置は、
表示パラメータを端末に送信するように構成され、端末が表示パラメータに基づいて補助動的画像の表示される時の特性を設定するように構成され、表示パラメータが透明度、解像度、画像位置のうちの少なくとも１つを含む第二の送信モジュール５１６をさらに含む。
【０２４９】
また、ターゲットカバー画像は、動的ピクチャー、ビデオと動的表示情報のいずれかの一つを含み、動的表示情報が動的パラメータと静的ピクチャーを含み、動的パラメータが静的ピクチャーの表示される時の表示パラメータの変化特性を指示することに用いられる。
【０２５０】
上述したように、本開示の実施例によるオーディオカバー表示装置において、取得モジュールが端末から送信された取得要求に応じてターゲットカバー画像を取得し、そして送信モジュールによって端末へ当該ターゲットカバー画像を提供し、端末によって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【０２５１】
図６−１が別の例示的な実施例による別のオーディオカバー表示装置のブロック図であり、図６−１に示すように、当該装置は、
オーディオカバーを取得する必要がある場合、サーバへターゲットカバー画像を要求するための取得要求を送信するように構成され、サーバが取得要求に応じてターゲットカバー画像を取得するように構成され、ターゲットカバー画像がオーディオに対応する動的カバー画像及び静的カバー画像のうちの少なくとも一つを含む第一の送信モジュール６０１と、
サーバから送信されたターゲットカバー画像を受信するように構成される第一の受信モジュール６０２と、
オーディオカバーを表示する必要がある場合、予め取得されたターゲットカバー画像を表示するように構成される表示モジュール６０３とを含む。
【０２５２】
上述したように、本開示の実施例によるオーディオカバー表示装置において、サーバが端末から送信された取得要求に応じてターゲットカバー画像を取得し、端末へ当該ターゲットカバー画像を提供し、端末の表示モジュールによって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【０２５３】
また、表示モジュール６０３は、端末のカバー表示インターフェイスの画像表示領域に予め取得されたターゲットカバー画像を表示するように構成される。
【０２５４】
図６−２が別の例示的な実施例による別のオーディオカバー表示装置のブロック図であり、図６−２に示すように、当該装置は、
サーバによって提供された少なくとも２つのターゲットシーン情報に関連付けられた動的画像を受信するように構成され、ターゲットシーン情報がターゲットオーディオデータに関連付けられたシーン特徴を表現することに用いられ、または、ターゲットシーン情報が端末の存在する環境のシーン特徴を表現することに用いられる第二の受信モジュール６０４と、
ユーザが少なくとも２つのターゲットシーン情報に関連付けられた動的画像から選択された動的画像を受信するように構成される第三の受信モジュール６０５と、
サーバへ選択命令を送信するように構成され、選択命令がユーザより選択された動的画像を含み、サーバがユーザより選択された動的画像を補助動的画像とするように構成される第二の送信モジュール６０６とを含む。
【０２５５】
また、ターゲットカバー画像が補助動的画像をターゲットカバー静的画像に重ねて取得されたものであり、図６−３が別の例示的な実施例による別のオーディオカバー表示装置のブロック図であり、図６−３に示すように、当該装置は、
サーバから送信された表示パラメータを受信するように構成される第四の受信モジュール６０７と、
表示パラメータに基づいて補助動的画像の表示される時の特性を設定するように構成され、表示パラメータが透明度、解像度、画像位置のうちの少なくとも一つを含む設定モジュール６０８とを含む。
【０２５６】
また、ターゲットカバー画像は、動的ピクチャー、ビデオと動的表示情報のうちのいずれかの一つを含み、動的表示情報が動的パラメータと静的ピクチャーを含み、動的パラメータが静的ピクチャーの表示される時の表示パラメータの変化特性を指示することに用いられ、表示モジュール６０３は、
ターゲットカバー画像の内容を検出し、
ターゲットカバー画像が動的表示情報を含む場合、静的ピクチャーを表示し、且つ動的パラメータに基づいて静的ピクチャーの表示される時の表示パラメータの特性を変更するように構成される。
【０２５７】
また、取得要求は、ターゲットシーン情報を含み、ターゲットシーン情報が端末の存在する環境のシーン特徴を表現することに用いられる。図６−４が別の例示的な実施例による別のオーディオカバー表示装置のブロック図であり、図６−４に示すように、当該装置は、
端末にインストールされた、ターゲットシーン情報に関連付けられたアプリケーションによりターゲットシーン情報を確定するように構成される、
または、シーン情報提示オプションを表示し、ユーザがシーン情報提示オプションから選択したターゲットシーン情報を受信するように構成される、
または、シーン情報入力ボックスを表示し、ユーザがシーン情報入力ボックスに入力したターゲットシーン情報を受信するように構成される、
または、ターゲットシーン情報を確定する機能を備えるサーバへ情報取得要求を送信し、機能サーバから送信されたターゲットシーン情報を受信するように構成されるシーン情報確定モジュール６０９をさらに含む。
【０２５８】
また、ターゲットシーン情報は、季節、地理的位置、地標、天気、気分と時間の少なくとも一つを含む。
【０２５９】
上述したように、本開示の実施例によるオーディオカバー表示装置において、サーバが端末から送信された取得要求に応じてターゲットカバー画像を取得し、端末へ当該ターゲットカバー画像を提供し、端末の表示モジュールによって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【０２６０】
図７が一つの例示的な実施例によるオーディオカバー表示システム７０を示す図であり、図７に示すように、当該オーディオカバー表示システム７０は、サーバ７０１と端末７０２を含み、
サーバ７０１が図５−１、図５−５、図５−６、図５−７または図５−８に示すオーディオカバー表示装置を含み、
端末７０２が図６−１〜図６−４に示すオーディオカバー表示装置を含む。
【０２６１】
さらに、本開示の実施例によるオーディオカバー表示装置は、
プロセッサと、
プロセッサで実行可能な命令を記憶するように構成されるメモリとを含み、
ここで、プロセッサが、
端末から送信された、ターゲットカバー画像を要求するための取得要求を受信し、
取得要求に応じてターゲットカバー画像を取得し、ターゲットカバー画像がオーディオに対応する動的カバー画像及び静的カバー画像のうちの少なくとも一つを含み、
ターゲットカバー画像を端末に送信するように構成され、
端末がターゲットカバー画像を表示するように構成される。
【０２６２】
本開示の実施例によるオーディオカバー表示装置は、
プロセッサと、
プロセッサで実行可能な命令を記憶するように構成されるメモリとを含み、
ここで、プロセッサが、
オーディオカバーを取得する必要がある場合、サーバへターゲットカバー画像を要求するための取得要求を送信し、サーバが取得要求に応じてターゲットカバー画像を取得するように構成され、ターゲットカバー画像がオーディオに対応する動的カバー画像及び静的カバー画像のうちの少なくとも一つを含み、
サーバから送信されたターゲットカバー画像を受信し、
オーディオカバーを表示する必要がある場合、予め取得されたターゲットカバー画像を表示するように構成される。
【０２６３】
図７が一つの例示的な実施例によるオーディオカバー表示システム７０を示す図であり、図７に示すように、当該オーディオカバー表示システム７０は、サーバ７０１と端末７０２を含み、
サーバ７０１が図５−１、図５−４または図５−５に示すオーディオカバー表示装置を含み、
端末７０２が図６−１〜図６−４に示すオーディオカバー表示装置を含む。
【０２６４】
図８は一つの例示的な実施例によるオーディオカバー表示装置８００のブロック図である。例えば、装置８００は、サーバとして提供されることができる。図８を参照し、装置８００は、処理部材８２２を含み、それがさらに１つ以上のプロセッサ、およびメモリ８３２によって代表される、処理部材８２２で実行可能な命令、例えばアプリケーションを記憶するように構成されるメモリリソースを含む。メモリ８３２に記憶されるアプリケーションプログラムは、１つ以上の、それぞれが１グループの命令に対応するモジュールを含むことができる。また、処理部材８２２は、命令を実行して、前記オーディオカバー表示方法を実行するように構成される。
【０２６５】
装置８００は、装置８００の電源管理を実行するように構成される電源部材８２６、装置８００をネットワークに接続するように構成される有線または無線ネットワークインターフェイス８５０と入出力（Ｉ／Ｏ）インターフェイス８５８とをさらに含むことができる。装置８００は、メモリ８３２に記憶された操作システム、例えばＷｉｎｄｏｗｓ（登録商標）  ＳｅｒｖｅｒＴＭ、Ｍａｃ  ＯＳ（登録商標）  ＸＴＭ、Ｕｎｉｘ（登録商標）ＴＭ、Ｌｉｎｕｘ（登録商標）ＴＭ、ＦｒｅｅＢＳＤＴＭまたはこれと類似する操作システムに基づいて操作されることができる。
【０２６６】
図９は一つの例示的な実施例によるオーディオカバー表示装置９００のブロック図である。例えば、装置９００は、携帯電話、コンピュータ、デジタル放送端末、メッセージ送受信装置、ゲーム機、タブレットデバイス、医療機器、フィットネス機器、パーソナルデジタルアシスタントなどであってよい。
【０２６７】
図９を参照し、装置９００は、処理部材９０２、メモリ９０４、電源部材９０６、マルチメディア部材９０８、オーディオ部材９１０、入力／出力（Ｉ／Ｏ）インターフェイス９１２、センサ部材９１４、及び通信部材９１６のうちの一つ以上の部材を含むことができる。
【０２６８】
処理部材９０２は、通常、装置９００の全体操作、例えば表示、電話コール、データ通信、カメラ操作と記録操作に関連する操作を制御する。処理部材９０２は、１つ以上のプロセッサ９２０を含んで命令を実行して、上記の方法のすべてまたは一部のステップを完了することができる。また、処理部材９０２は、１つ以上のモジュールを含んで、処理部材９０２と他の部材のインタラクションに便利を与えることができる。例えば、処理部材９０２は、マルチメディアモジュールを含んで、マルチメディア部材９０８と処理部材９０２とのインタラクションのために便利を与えることができる。
【０２６９】
メモリ９０４は、様々なタイプのデータを記憶して装置９００での操作をサポートするように構成される。これらのデータの例は、装置９００に操作するためのいかなる記憶オブジェクトまたは方法の命令、連絡先データ、電話帳データ、メッセージ、ピクチャー、ビデオなどを含む。メモリ９０４は、いかなるタイプの揮発性または不揮発性記憶装置またはそれらの組み合わせによって実現されることができ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクである。
【０２７０】
電源部材９０６は、装置９００の様々な部材に電力を提供する。電源部材９０６は、電源管理システム、１つ以上の電源、および他の、装置９００のために電力を生成し、管理して割り当てることに関連する部材を含むことができる。
【０２７１】
マルチメディア部材９０８は、前記装置９００とユーザの間に１つの出力インタフェースを提供する表示インターフェイスを含む。いくつかの実施例において、表示インターフェイは、液晶ディスプレイ（ＬＣＤ）とタッチパネル（ＴＰ）を含むことができる。表示インターフェイがタッチパネルを含むと、表示インターフェイは、タッチスクリーンとして実現され、ユーザからの入力信号を受信することができる。タッチパネルは、１つ以上のタッチセンサを含んでタッチ、摺動とタッチパネルでのジェスチャーをセンシングする。タッチセンサは、タッチまたは摺動操作の境界をセンシングするだけでなく、タッチまたは摺動操作に関連する持続時間と圧力を検出することができる。いくつかの実施例において、マルチメディア部材９０８は、１つのフロントカメラおよび／またはリアカメラを含む。装置９００が操作モード、例えば撮影モードまたはビデオモードにある場合、フロントカメラおよび／またはリアカメラは、外部のマルチメディアデータを受信することができる。各フロントカメラおよびリアカメラは、固定された光学レンズシステムであってよいまたはフォーカスと光学ズーム機能を備える。
【０２７２】
オーディオ部材９１０は、オーディオ信号を出力および／または入力するように構成される。例えば、オーディオ部材９１０は、１つのマイク（ＭＩＣ）を含み、装置９００が操作モード、例えばコールモード、記録モードと音声識別モードにある場合、マイクが外部のオーディオ信号を受信するように構成される。受信されたオーディオ信号は、さらにメモリ９０４に記憶されるまたは通信部材９１６を介して送信されることができる。いくつかの実施例において、オーディオ部材９１０は、オーディオ信号を出力するように構成されるスピーカーをさらに含む。
【０２７３】
Ｉ／Ｏインタフェース９１２は、処理部材９０２と周辺インタフェースモジュールの間にインタフェースを提供し、前記周辺インタフェースモジュールがキーボード、クリックホイール、ボタンなどであってよい。これらのボタンは、ホームボタン、音量ボタン、起動ボタンとロックボタンを含むことができるがこれらに限られない。
【０２７４】
センサ部材９１４は、１つ以上のセンサを含み、装置９００に各方面の状態評価を提供するように構成される。例えば、センサ部材９１４は、装置９００のオン／オフ状態、部材の相対的な位置決めを検出することができ、例えば前記部材が装置９００のディスプレイとキーパッドであり、センサ部材９１４は、さらに装置９００または装置９００の１つの部材の位置変化、ユーザと装置９００の接触が存在するまたは存在しないこと、装置９００の方位または加速／減速と装置９００の温度変化を検出することができる。センサ部材９１４は、いかなる物理的接触がない場合に付近の物体の存在を検出するように構成される近接センサを含むことができる。センサ部材９１４は、イメージングアプリケーションに使用される光センサ、例えばＣＭＯＳまたはＣＣＤ画像センサをさらに含むことができる。いくつかの実施例において、当該センサ部材９１４は、加速度センサ、ジャイロセンサ、磁気センサ、圧力センサまたは温度センサをさらに含むことができる。
【０２７５】
通信部材９１６は、装置９００と他の装置の間の有線または無線通信を容易にするように構成される。装置９００は、通信基準に基づく無線ネットワーク、例えばＷｉＦｉ、２Ｇまたは３Ｇ、またはそれらの組み合わせにアクセスすることができる。一つの例示的な実施例において、通信部材９１６は、放送チャネルを介して外部放送管理システムからの放送信号または放送関連情報を受信する。一つの例示的な実施例において、前記通信部材９１６は、さらに近接場通信（ＮＦＣ）モジュールを含んで、近距離通信を促進する。例えば、ＮＦＣモジュールにおいてＲＦ識別（ＲＦＩＤ）技術、赤外線データ通信（ＩｒＤＡ）技術、超広帯域（ＵＷＢ）技術、ブルートゥース（登録商標）（ＢＴ）技術と他の技術に基づいて実現することができる。
【０２７６】
例示的な実施例において、装置９００は、１つ以上の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子により実現されることができ、前記オーディオカバー表示方法を実行するように構成される。
【０２７７】
例示的な実施例において、命令を含む非一時的コンピュータ可読記憶媒体、例えば命令を含むメモリ９０４が提供され、前記命令が装置９００のプロセッサ９２０によって実行されて前記方法を完了することができる。例えば、非一時的コンピュータ可読記憶媒体は、ＲＯＭ、ランダムアクセスメモリ（ＲＡＭ）、ＣＤ−ＲＯＭ、磁気テープ、フロッピー（登録商標）ディスクと光データ記憶装置などであってよい。
【０２７８】
非一時的コンピュータ可読記憶媒体であって、記憶媒体における命令が装置９００のプロセッサによって実行される場合、装置９００は、オーディオカバー表示方法を実行することができ、当該方法は、
サーバへターゲットカバー画像を要求するための取得要求を送信し、サーバが取得要求に応じてターゲットカバー画像を取得するように構成され、ターゲットカバー画像が動的カバー画像であることと、
サーバから送信されたターゲットカバー画像を受信することと、
ターゲットカバー画像を表示することとを含む。
【０２７９】
また、ターゲット画像は、動的ピクチャー、ビデオと動的表示情報のいずれかの一つを含み、動的表示情報が動的パラメータと静的ピクチャーを含み、動的パラメータが静的ピクチャーの表示される時の表示パラメータの変化特性を指示することに用いられ、
ターゲットカバー画像を表示することは、
ターゲットカバー画像の内容を検出し、
ターゲットカバー画像が動的表示情報を含む場合、静的ピクチャーを表示し、かつ動的パラメータに基づいて静的ピクチャーの表示される時の表示パラメータの特性を変更することを含む。
【０２８０】
図１０が一つの例示的な実施例によるオーディオカバー表示システム１００を示す図であり、図１０に示すように、当該オーディオカバー表示システム１００は、サーバ１００１と端末１００２とを含み、
サーバ１００１が図８に示すオーディオカバー表示装置８００を含み、
端末１００２が図９に示すオーディオカバー表示装置９００を含む。
【０２８１】
当業者は、明細書を考慮してここに開示される発明を実践した後に、容易に本開示の他の実施例を考える。本出願は、本開示の実施例のいかなる変形、用途または適応性変化をカバーすることを意図し、これらの変形、用途または適応性変化が本開示の実施例の一般的な原理に従い且つ本開示の実施例に開示されない本技術分野における公知の常識または慣用技術手段を含む。明細書と実施例は、ただ例示的なものだけと見なされ、本開示の実施例の真の範囲および精神が以下の特許請求の範囲によって示される。
【０２８２】
本開示の実施例は、以上に説明され且つ図面に示す正確な構造に限られなく、且つその範囲から逸脱しなくて各種類の変更と変化を行うことができると理解すべきである。本開示の実施例の範囲は、添付の特許請求の範囲のみによって限定される。
【産業上の利用可能性】
【０２８３】
本開示の実施例によるオーディオカバー表示方法および装置において、サーバが端末から送信された取得要求に応じてターゲットカバー画像を取得し、端末へ当該ターゲットカバー画像を提供し、そして端末によって表示することにより、当該ターゲットカバー画像が動的カバー画像及び静的カバー画像のうちの少なくとも一つを含むので、オーディオカバーの表示形態を豊かにし、オーディオカバーの表示をより柔軟にする。
【図１】
2017532582.tif 000007
【図２】
2017532582.tif 000008
【図３】
2017532582.tif 000009
【図４−１】
2017532582.tif 000010
【図４−２】
2017532582.tif 000011
【図４−３】
2017532582.tif 000012
【図４−４】
2017532582.tif 000013
【図４−５】
2017532582.tif 000014
【図４−６】
2017532582.tif 000015
【図４−７】
2017532582.tif 000016
【図４−８】
2017532582.tif 000017
【図４−９】
2017532582.tif 000018
【図４−１０】
2017532582.tif 000019
【図４−１１】
2017532582.tif 000020
【図４−１２】
2017532582.tif 000021
【図４−１３】
2017532582.tif 000022
【図４−１４】
2017532582.tif 000023
【図４−１５】
2017532582.tif 000024
【図４−１６】
2017532582.tif 000025
【図４−１７】
2017532582.tif 000026
【図４−１８】
2017532582.tif 000027
【図５−１】
2017532582.tif 000028
【図５−２】
2017532582.tif 000029
【図５−３】
2017532582.tif 000030
【図５−４】
2017532582.tif 000031
【図５−５】
2017532582.tif 000032
【図５−６】
2017532582.tif 000033
【図５−７】
2017532582.tif 000034
【図５−８】
2017532582.tif 000035
【図５−９】
2017532582.tif 000036
【図６−１】
2017532582.tif 000037
【図６−２】
2017532582.tif 000038
【図６−３】
2017532582.tif 000039
【図６−４】
2017532582.tif 000040
【図７】
2017532582.tif 000041
【図８】
2017532582.tif 000042
【図９】
2017532582.tif 000043
【図１０】
2017532582.tif 000044
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
オーディオカバー表示方法であって、
端末から送信された、ターゲットカバー画像を要求するための取得要求を受信することと、
前記取得要求に応じて前記ターゲットカバー画像を取得し、前記ターゲットカバー画像がオーディオに対応する動的カバー画像及び静的カバー画像のうちの少なくとも一つを含むことと、
前記ターゲットカバー画像を前記端末に送信し、前記端末が前記ターゲットカバー画像を表示するように構成されることとを含む、
前記オーディオカバー表示方法。
【請求項２】
前記取得要求に応じて前記ターゲットカバー画像を取得することは、
前記取得要求に応じてターゲットオーディオデータを確定し、
前記ターゲットオーディオデータに基づいてターゲットシーン情報とターゲット静的画像を確定し、前記ターゲットシーン情報が前記ターゲットオーディオデータに関連付けられたシーン特徴を表現することに用いられ、
前記ターゲットシーン情報に関連付けられた補助動的画像を取得し、
前記補助動的画像を使用して前記ターゲット静的画像を処理して前記ターゲットカバー画像を取得することを含む
請求項１に記載の方法。
【請求項３】
前記取得要求は、ターゲットシーン情報を含み、前記ターゲットシーン情報が前記端末の存在する環境のシーン特徴を表現することに用いられ、
前記取得要求に応じて前記ターゲットカバー画像を取得することは、
前記取得要求に応じてターゲット静的画像を取得し、
前記ターゲットシーン情報に関連付けられた補助動的画像を取得し、
前記補助動的画像を使用して前記ターゲット静的画像を処理して前記ターゲットカバー画像を取得することを含む
請求項１に記載の方法。
【請求項４】
前記ターゲットシーン情報に関連付けられた補助動的画像を取得することは、
予め設定されたシーン情報と動的画像の関係を検索し、
前記予め設定されたシーン情報と動的画像の関係に一つの前記ターゲットシーン情報に関連付けられた動的画像が存在する場合、前記ターゲットシーン情報に関連付けられた動的画像を前記補助動的画像とし、
前記予め設定されたシーン情報と動的画像の関係に少なくとも２つの前記ターゲットシーン情報に関連付けられた動的画像が存在する場合、予め設定されたルールに従って前記少なくとも２つの前記ターゲットシーン情報に関連付けられた動的画像から動的画像を前記補助動的画像として選択することを含む
請求項２または３に記載の方法。
【請求項５】
前記予め設定されたルールに従って前記少なくとも２つの前記ターゲットシーン情報に関連付けられた動的画像から動的画像を前記補助動的画像として選択することは、
前記少なくとも２つの前記ターゲットシーン情報に関連付けられた動的画像から１つの動的画像を前記補助動的画像としてランダムに選択すること、
または、前記少なくとも２つの前記ターゲットシーン情報に関連付けられた動的画像から１つの出現回数の最も多い動的画像を前記補助動的画像として選択すること、
または、前記少なくとも２つの前記ターゲットシーン情報に関連付けられた動的画像を重ね合わせて前記補助動的画像を形成すること、
または、端末へ前記少なくとも２つの前記ターゲットシーン情報に関連付けられた動的画像を提供し、端末から送信された選択命令を受信し、前記選択命令が、ユーザが前記少なくとも２つの前記ターゲットシーン情報に関連付けられた動的画像から選択した動的画像を指示することに用いられ、ユーザより選択された動的画像を前記補助動的画像とすることを含む
請求項４に記載の方法。
【請求項６】
前記補助動的画像を使用して前記ターゲット静的画像を処理して前記ターゲットカバー画像を取得することは、
前記補助動的画像を前記ターゲット静的画像に重ね合わせて前記ターゲットカバー画像を取得すること、
または、前記補助動的画像で前記ターゲット静的画像を入れ替えて前記ターゲットカバー画像を取得すること、
または、前記補助動的画像を前記ターゲット静的画像と組み合わせて前記ターゲットカバー画像を取得することを含む
請求項２または３に記載の方法。
【請求項７】
前記方法は、
サーバに前記ターゲットシーン情報に関連付けられた補助動的画像が記憶されているかどうかを判定することと、
前記サーバに前記補助動的画像が記憶されない場合、前記取得要求に応じて取得されたターゲット静的画像を前記ターゲットカバー画像とすることとをさらに含む
請求項２または３に記載の方法。
【請求項８】
前記取得要求に応じて前記ターゲットカバー画像を取得することは、
前記取得要求に応じてターゲットオーディオデータを確定し、
予め設定された動的カバーデータベースに取得された前記ターゲットオーディオデータに対応する動的画像をターゲットカバー画像とし、前記動的カバーデータベースがオーディオ情報を記録することに用いられ、各前記オーディオ情報がオーディオデータと動的画像を含むことを含む
請求項１に記載の方法。
【請求項９】
前記方法は、
前記動的カバーデータベースに前記ターゲットオーディオデータに対応する動的画像が記憶されているかどうかを判定することと、
前記動的カバーデータベースに前記ターゲットオーディオデータに対応する動的画像が記憶されない場合、前記取得要求に応じて取得されたターゲット静的画像を前記ターゲットカバー画像とすることとをさらに含む
請求項８に記載の方法。
【請求項１０】
前記方法は、
新規なオーディオ情報を受信し、前記新規なオーディオ情報がオーディオデータと静的画像を含むことと、
前記オーディオデータに基づいてシーン情報を確定し、前記シーン情報が前記オーディオデータに関連付けられたシーン特徴を表現することに用いられることと、
前記シーン情報に関連付けられた補助動的画像を確定することと、
前記補助動的画像を使用して前記静的画像を処理して動的画像を取得することと、
前記動的画像を使用して前記新規なオーディオ情報を更新して更新されたオーディオ情報を取得し、前記更新されたオーディオ情報が前記オーディオデータと前記動的画像を含むことと、
更新されたオーディオ情報を予め設定された動的カバーデータベースに記憶し、前記予め設定された動的カバーデータベースに記録されたオーディオ情報に前記動的画像が含まれることとをさらに含む
請求項８または９に記載の方法。
【請求項１１】
前記方法は、
新規なオーディオ情報を受信し、前記新規なオーディオ情報が動的画像を含むことと、
前記新規なオーディオ情報を予め設定された動的カバーデータベースに記憶し、前記予め設定された動的カバーデータベースに記録されたオーディオ情報に前記動的画像が含まれることとをさらに含む
請求項８または９に記載の方法。
【請求項１２】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられる
請求項１に記載の方法。
【請求項１３】
オーディオカバー表示方法であって、
オーディオカバーを取得する必要がある場合、サーバへターゲットカバー画像を要求するための取得要求を送信し、前記サーバが前記取得要求に応じて前記ターゲットカバー画像を取得するように構成され、前記ターゲットカバー画像がオーディオに対応する動的カバー画像及び静的カバー画像のうちの少なくとも一つを含むことと、
前記サーバから送信された前記ターゲットカバー画像を受信することと、
オーディオカバーを表示する必要がある場合、予め取得された前記ターゲットカバー画像を表示することとを含む、
前記オーディオカバー表示方法。
【請求項１４】
前記予め取得された前記ターゲットカバー画像を表示することは、
端末のカバー表示インターフェイスの画像表示領域に予め取得された前記ターゲットカバー画像を表示することを含む
請求項１３に記載の方法。
【請求項１５】
前記方法は、
前記サーバによって提供された少なくとも２つのターゲットシーン情報に関連付けられた動的画像を受信し、前記ターゲットシーン情報がターゲットオーディオデータに関連付けられたシーン特徴を表現することに用いられ、または、前記ターゲットシーン情報が端末の存在する環境のシーン特徴を表現することに用いられることと、
ユーザが前記少なくとも２つの前記ターゲットシーン情報に関連付けられた動的画像から選択した動的画像を受信することと、
前記サーバへ選択命令を送信し、前記選択命令がユーザより選択された動的画像を含み、前記サーバが前記ユーザより選択された動的画像を補助動的画像とするように構成されることとをさらに含む
請求項１３または１４に記載の方法。
【請求項１６】
前記ターゲットカバー画像が補助動的画像をターゲット静的画像に重ね合わせて取得されたものであり、前記方法は、
サーバから送信された表示パラメータを受信することと、
前記表示パラメータに基づいて前記補助動的画像の表示される時の特性を設定し、前記表示パラメータが透明度、解像度、画像位置のうちの少なくとも一つを含むこととをさらに含む
請求項１３または１４に記載の方法。
【請求項１７】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、
前記予め取得された前記ターゲットカバー画像を表示することは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更することを含む
請求項１３または１４に記載の方法。
【請求項１８】
前記取得要求は、ターゲットシーン情報を含み、前記ターゲットシーン情報が端末の存在する環境のシーン特徴を表現することに用いられ、
前記方法は、
前記端末にインストールされた、前記ターゲットシーン情報に関連付けられたアプリケーションにより前記ターゲットシーン情報を確定すること、
または、シーン情報提示オプションを表示し、ユーザが前記シーン情報提示オプションから選択したターゲットシーン情報を受信すること、
または、シーン情報入力ボックスを表示し、ユーザが前記シーン情報入力ボックスに入力したターゲットシーン情報を受信すること、
または、前記ターゲットシーン情報を確定する機能を備える機能サーバへ情報取得要求を送信し、前記機能サーバから送信されたターゲットシーン情報を受信することをさらに含む
請求項１３に記載の方法。
【請求項１９】
オーディオカバー表示装置であって、
端末から送信された、ターゲットカバー画像を要求するための取得要求を受信するように構成される受信モジュールと、
前記取得要求に応じて前記ターゲットカバー画像を取得するように構成され、前記ターゲットカバー画像がオーディオに対応する動的カバー画像及び静的カバー画像のうちの少なくとも一つを含む取得モジュールと、
前記ターゲットカバー画像を前記端末に送信するように構成され、前記端末が前記ターゲットカバー画像を表示するように構成される送信モジュールとを含む、
前記オーディオカバー表示装置。
【請求項２０】
前記取得モジュールは、
前記取得要求に応じてターゲットオーディオデータを確定するように構成されるデータ取得サブモジュールと、
前記ターゲットオーディオデータに基づいてターゲットシーン情報とターゲット静的画像を確定するように構成され、前記ターゲットシーン情報が前記ターゲットオーディオデータに関連付けられたシーン特徴を表現することに用いられる確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む
請求項１９に記載の装置。
【請求項２１】
前記取得要求は、ターゲットシーン情報を含み、前記ターゲットシーン情報が前記端末の存在する環境のシーン特徴を表現することに用いられ、
前記取得モジュールは、
前記取得要求に応じてターゲット静的画像を取得するように構成される確定サブモジュールと、
前記ターゲットシーン情報に関連付けられた補助動的画像を取得するように構成される画像取得サブモジュールと、
前記補助動的画像を使用して前記ターゲット静的画像を処理して前記ターゲットカバー画像を取得するように構成される処理サブモジュールとを含む
請求項１９に記載の装置。
【請求項２２】
前記取得モジュールは、前記取得要求に応じてターゲットオーディオデータを確定し、
予め設定された動的カバーデータベースに取得された前記ターゲットオーディオデータに対応する動的画像をターゲットカバー画像とするように構成され、前記動的カバーデータベースがオーディオ情報を記録することに用いられ、各前記オーディオ情報がオーディオデータと動的画像を含む
請求項１９に記載の装置。
【請求項２３】
オーディオカバー表示装置であって、
オーディオカバーを取得する必要がある場合、サーバへターゲットカバー画像を要求するための取得要求を送信するように構成され、前記サーバが前記取得要求に応じて前記ターゲットカバー画像を取得するように構成され、前記ターゲットカバー画像がオーディオに対応する動的カバー画像及び静的カバー画像のうちの少なくとも一つを含む第一の送信モジュールと、
前記サーバから送信された前記ターゲットカバー画像を受信するように構成される第一の受信モジュールと、
オーディオカバーを表示する必要がある場合、予め取得された前記ターゲットカバー画像を表示するように構成される表示モジュールとを含む、
前記オーディオカバー表示装置。
【請求項２４】
前記ターゲットカバー画像は、動的ピクチャー、ビデオと動的表示情報のいずれかの一つを含み、前記動的表示情報が動的パラメータと静的ピクチャーを含み、前記動的パラメータが前記静的ピクチャーの表示される時の表示パラメータの変化特性を指示することに用いられ、前記表示モジュールは、
前記ターゲットカバー画像の内容を検出し、
前記ターゲットカバー画像が動的表示情報を含む場合、前記静的ピクチャーを表示し、かつ前記動的パラメータに基づいて前記静的ピクチャーの表示される時の表示パラメータの特性を変更するように構成される
請求項２３に記載の装置。
【請求項２５】
前記取得要求は、ターゲットシーン情報を含み、前記ターゲットシーン情報が端末の存在する環境のシーン特徴を表現することに用いられ、
前記装置は、
前記端末にインストールされた、前記ターゲットシーン情報に関連付けられたアプリケーションにより前記ターゲットシーン情報を確定するように構成される、
または、シーン情報提示オプションを表示し、ユーザが前記シーン情報提示オプションから選択したターゲットシーン情報を受信するように構成される、
または、シーン情報入力ボックスを表示し、ユーザが前記シーン情報入力ボックスに入力したターゲットシーン情報を受信するように構成される、
または、前記ターゲットシーン情報を確定する機能を備える機能サーバへ情報取得要求を送信し、前記機能サーバから送信されたターゲットシーン情報を受信するように構成されるシーン情報確定モジュールをさらに含む
請求項２３に記載の装置。
【国際調査報告】
2017532582.tif 000045
2017532582.tif 000046
2017532582.tif 000047
2017532582.tif 000048
2017532582.tif 000049
2017532582.tif 000050